(57)【要約】【課題】  設置や交換の作業を適切に行うことが可能なＬＥＤ照明装置を提供すること。【解決手段】複数のＬＥＤチップ２２を備えるＬＥＤ照明装置Ａ１であって、複数のＬＥＤチップ２２が搭載されており、ｘ方向に沿って延びる細長状のＬＥＤユニット２と、ｚ方向においてＬＥＤユニット２を支持するベース１と、捻じりバネ６２、捻じりバネ６２の弾性力が閉方向に付勢され且つベース１に開閉可能に取り付けられたアーム部６１、およびアーム部６１と係合し且つＬＥＤユニット２に取り付けられた係合部材６５を有しており、アーム部６１が閉状態であるときにＬＥＤユニット２にベース１に対してｚ方向において近接する近接状態をとらせるとともに、アーム部６１が開状態であるときにＬＥＤユニット２にベース１に対してｚ方向において離間する離間状態をとらせる取付手段６と、を備えている。【選択図】  図１
2016181501.tif 000002
【特許請求の範囲】
【請求項１】
複数のＬＥＤチップを備え、
前記複数のＬＥＤチップが搭載されており、第１の方向に沿って延びる細長状のＬＥＤユニットと、
前記第１の方向に対して直角である第２の方向において前記ＬＥＤユニットを支持する支持体と、
弾性部材、該弾性部材の弾性力が閉方向に付勢され且つ前記支持体に開閉可能に取り付けられたアーム部、および該アーム部と係合し且つ前記ＬＥＤユニットに取り付けられた係合部材を有しており、前記アーム部が閉状態であるときに前記ＬＥＤユニットに前記支持体に対して前記第２の方向において近接する近接状態をとらせるとともに、前記アーム部が開状態であるときに前記ＬＥＤユニットに前記支持体に対して前記第２の方向において離間する離間状態をとらせる取付手段と、を備えている、ＬＥＤ照明装置。
【請求項２】
前記アーム部は、前記第１の方向および前記第２の方向を含む平面において回動する、請求項１に記載のＬＥＤ照明装置。
【請求項３】
前記アーム部は、前記閉状態であるときに前記支持体に前記第２の方向において最も近接し、前記開状態であるときに前記第２の方向において前記支持体から最も離間する、請求項２に記載のＬＥＤ照明装置。
【請求項４】
前記アーム部は、前記閉状態であるときに前記第１の方向に沿った姿勢をとる、請求項３に記載のＬＥＤ照明装置。
【請求項５】
前記アーム部は、前記開状態であるときに前記第２の方向に沿った姿勢をとる、請求項３または４に記載のＬＥＤ照明装置。
【請求項６】
前記アーム部は、前記閉状態において前記ＬＥＤユニット側に凸である円弧状部を有する、請求項１ないし５のいずれかに記載のＬＥＤ照明装置。
【請求項７】
前記アーム部は、前記円弧状部の根元側に繋がる一対の側板部を有する、請求項６に記載のＬＥＤ照明装置。
【請求項８】
前記一対の側板部には、軸部材が挿通される貫通孔が設けられている、請求項７に記載のＬＥＤ照明装置。
【請求項９】
前記軸部材は、前記弾性部材を貫通する、請求項８に記載のＬＥＤ照明装置。
【請求項１０】
前記アーム部は、先端に設けられており且つ前記係合部材に係合する係合部を有する、請求項６ないし９のいずれかに記載のＬＥＤ照明装置。
【請求項１１】
前記離間状態において、前記係合部材は前記アーム部の前記係合部と係合し、
前記近接状態において、前記係合部材は前記アーム部のうち前記係合部よりも根本寄りの部位に当接する、請求項１０に記載のＬＥＤ照明装置。
【請求項１２】
前記アーム部は、金属からなる、請求項６ないし１１のいずれかに記載のＬＥＤ照明装置。
【請求項１３】
前記アーム部は、バネ鋼からなる、請求項１２に記載のＬＥＤ照明装置。
【請求項１４】
前記アーム部は、樹脂からなる、請求項１２に記載のＬＥＤ照明装置。
【請求項１５】
前記弾性部材は、前記閉状態において前記アーム部を前記閉状態に維持しうる弾性力を発揮する、請求項１ないし１４のいずれかに記載のＬＥＤ照明装置。
【請求項１６】
前記弾性部材は捻じりバネである、請求項１５に記載のＬＥＤ照明装置。
【請求項１７】
前記取付手段は、前記アーム部を前記支持体に取り付ける固定部材を有する、請求項１６に記載のＬＥＤ照明装置。
【請求項１８】
前記固定部材は、前記弾性部材の一端を収容する溝状部を有する、請求項１７に記載のＬＥＤ照明装置。
【請求項１９】
前記ＬＥＤユニットは、前記複数のＬＥＤチップを支持する基板を有する、請求項１ないし１８のいずれかに記載のＬＥＤ照明装置。
【請求項２０】
前記ＬＥＤチップは、前記基板において前記第１の方向に沿って配列されている、請求項１９に記載のＬＥＤ照明装置。
【請求項２１】
前記ＬＥＤユニットは、前記基板を支持する支持部材を有する、請求項１９または２０に記載のＬＥＤ照明装置。
【請求項２２】
前記支持部材は、前記第１の方向に延びている、請求項２１に記載のＬＥＤ照明装置。
【請求項２３】
前記支持部材は、前記第１の方向に対して直角である断面形状が一定である、請求項２２に記載のＬＥＤ照明装置。
【請求項２４】
前記支持体は、金属板を折り曲げ加工することによって形成されている、請求項２３に記載のＬＥＤ照明装置。
【請求項２５】
前記支持体は、前記基板を支持する支持板部と、該支持板部の両側端から前記支持体側に起立する一対の側板部とを有する、請求項２４に記載のＬＥＤ照明装置。
【請求項２６】
前記各側板部の先端は、折り返されている、請求項２５に記載のＬＥＤ照明装置。
【請求項２７】
前記ＬＥＤユニットは、前記ＬＥＤチップからの光を透過させるカバーを有する、請求項２１ないし２６のいずれかに記載のＬＥＤ照明装置。
【請求項２８】
前記カバーは、前記ＬＥＤチップからの光を拡散させつつ透過させる、請求項２７に記載のＬＥＤ照明装置。
【請求項２９】
前記カバーは、樹脂からなる、請求項２８に記載のＬＥＤ照明装置。
【請求項３０】
前記カバーは、前記第１の方向に対して直角である断面形状が一定である、請求項２９に記載のＬＥＤ照明装置。
【請求項３１】
前記カバーは、前記支持部材に対して固定されている、請求項２７ないし３０のいずれかに記載のＬＥＤ照明装置。
【請求項３２】
前記カバーは、前記第２の方向において前記支持体とは反対側に膨出する膨出部を有する、請求項３１に記載のＬＥＤ照明装置。
【請求項３３】
前記カバーは、前記支持部材と係合する一対の係合部を有する、請求項３２に記載のＬＥＤ照明装置。
【請求項３４】
前記カバーは、前記第１の方向視において前記支持部材よりも大である、請求項３１ないし３３のいずれかに記載のＬＥＤ照明装置。
【請求項３５】
前記支持体は、前記ＬＥＤユニットの一部を収容する溝部を有する、請求項１ないし３４のいずれかに記載のＬＥＤ照明装置。
【請求項３６】
前記支持体は、前記溝部の両側に位置する一対の斜面部を有する、請求項３５に記載のＬＥＤ照明装置。
【請求項３７】
前記支持体には、取付対象部位に設けられた電源ケーブルを挿通させる貫通孔と、該貫通孔を挟んで前記ＬＥＤユニットの電源部とは反対側に固定されており且つ前記電源部から延びるケーブルと接続される中間ケーブルと、が設けられている、請求項１ないし３６のいずれかに記載のＬＥＤ照明装置。
【請求項３８】
前記ＬＥＤユニットの前記取付手段による支持位置と前記第１の方向における前記ＬＥＤユニットの端縁との距離は、前記ＬＥＤユニットの前記第１の方向における長さの３％以上２５％以下である、請求項１ないし３７のいずれかに記載のＬＥＤ照明装置。
【請求項３９】
前記第１の方向において互いに離間して配置された２つの上記取付手段を備える、請求項１ないし３８のいずれかに記載のＬＥＤ照明装置。
【発明の詳細な説明】
【技術分野】
【０００１】
本発明は、ＬＥＤ照明装置に関する。
【背景技術】
【０００２】
特許文献１には、従来のＬＥＤ照明装置の一例が開示されている。同文献に開示されたＬＥＤ照明装置は、長矩形状の基板と、基板上に実装された複数のＬＥＤチップと、基板を収容する管と、端子と、ＬＥＤチップを点灯させるための回路とを備えている。基板上には複数のＬＥＤチップおよび端子に接続される配線が形成されている。このＬＥＤ照明装置は、端子を一般用蛍光灯照明器具のソケットの差込口に嵌合させることにより、複数のＬＥＤチップを発光させることができるように構成されている。
【０００３】
しかしながら、一般用蛍光灯照明器具のソケットを用いることなく、天井に設置可能なＬＥＤ照明装置が求められる場合がある。このような場合であっても、設置や部品の交換に際して、適切に作業を行うことが可能であることが求められる。
【０００４】
省電力化を目的として、蛍光灯に代わる照明手段としてＬＥＤ発光部を有するＬＥＤ照明灯が提案されている。図３９は、従来のＬＥＤ照明灯の一例を示している（特許文献２参照）。同図に示すＬＥＤ照明灯Ｘは、支持部材９１、ＬＥＤ発光部９２、透光カバー９３および電源部９４を備えている。透光カバー９３は、円筒形状であり、支持部材９１、複数のＬＥＤ発光部９２および電源部９４を収容している。支持部材９１は、ＬＥＤ発光部９２を支持ており、ＬＥＤ発光部９２からの放熱を促進する機能を果たしうる。ＬＥＤ発光部９２は、透光カバー９３の軸方向に沿って支持部材９１上に配列された複数のＬＥＤモジュールと、これらのＬＥＤモジュールを支持する基板からなる。電源部９４は、たとえば商用の１００Ｖ電力をＬＥＤ発光部９２の発光に適した直流電力に変換する。透光カバー９３は、ＬＥＤ発光部９２からの光を拡散させつつ透過させるものであり、たとえば透明な樹脂材料に白色などの拡散材が混入された材質からなる。ＬＥＤ照明灯Ｘは、一般的な直管形蛍光灯の代替品として用いられる。支持部材９１および透光カバー９３の両端には、一対の口金（図示略）が設けられる。これらの口金は、ＬＥＤ照明灯Ｘを照明器具に取り付けるために用いられる。
【０００５】
支持部材９１と透光カバー９３とは、互いに異なる材質からなることが一般的である。支持部材９１が金属からなり、透光カバー９３が樹脂からなる場合、ＬＥＤ照明灯Ｘの使用時における温度変化によって、支持部材９１と透光カバー９３の熱膨張または熱収縮に差異が生じる。このため、前記口金に対して、支持部材９１と透光カバー９３が別々に相対動するような挙動を示す。この挙動が過度に生じると、たとえば透光カバー９３と前記口金との間に隙間が生じるおそれがある。このようなことでは、透光カバー９３内に湿気や水分が浸入してしまうことが懸念される。
【０００６】
ＬＥＤ発光部９２から出射された光は、透光カバー９３を透過するものと、透光カバー９３の内面によって反射されるものとに分けられる。透光カバー９３の内面によって反射された光がいずれかの部位によって吸収されてしまうと、ＬＥＤ照明灯Ｘの輝度が低下してしまう。
【先行技術文献】
【特許文献】
【０００７】
【特許文献１】実開平６−５４１０３号公報号公報
【特許文献２】特開２００４−３３５４２６号公報
【発明の概要】
【発明が解決しようとする課題】
【０００８】
本発明は、上記した事情のもとで考え出されたものであって、設置や交換の作業を適切に行うことが可能なＬＥＤ照明装置を提供することをその課題とする。また、本発明は、上記した事情のもとで考え出されたものであって、温ＬＥＤ発光部の基板を適切に固定しつつ、高輝度化を図ることが可能なＬＥＤ照明灯を提供することをその課題とする。また、温度変化が生じる環境においてより適切に使用することが可能なＬＥＤ照明灯を提供することをその課題とする。
【課題を解決するための手段】
【０００９】
本発明の第１の側面によって提供されるＬＥＤ装置は、複数のＬＥＤチップを備え、前記複数のＬＥＤチップが搭載されており、第１の方向に沿って延びる細長状のＬＥＤユニットと、前記第１の方向に対して直角である第２の方向において前記ＬＥＤユニットを支持する支持体と、弾性部材、該弾性部材の弾性力が閉方向に付勢され且つ前記支持体に開閉可能に取り付けられたアーム部、および該アーム部と係合し且つ前記ＬＥＤユニットに取り付けられた係合部材を有しており、前記アーム部が閉状態であるときに前記ＬＥＤユニットに前記支持体に対して前記第２の方向において近接する近接状態をとらせるとともに、前記アーム部が開状態であるときに前記ＬＥＤユニットに前記支持体に対して前記第２の方向において離間する離間状態をとらせる取付手段と、を備えている。
【００１０】
本発明の好ましい実施の形態においては、前記アーム部は、前記第１の方向および前記第２の方向を含む平面において回動する。
【００１１】
本発明の好ましい実施の形態においては、前記アーム部は、前記閉状態であるときに前記支持体に前記第２の方向において最も近接し、前記開状態であるときに前記第２の方向において前記支持体から最も離間する。
【００１２】
本発明の好ましい実施の形態においては、前記アーム部は、前記閉状態であるときに前記第１の方向に沿った姿勢をとる。
【００１３】
本発明の好ましい実施の形態においては、前記アーム部は、前記開状態であるときに前記第２の方向に沿った姿勢をとる。
【００１４】
本発明の好ましい実施の形態においては、前記アーム部は、前記閉状態において前記ＬＥＤユニット側に凸である円弧状部を有する。
【００１５】
本発明の好ましい実施の形態においては、前記アーム部は、前記円弧状部の根元側に繋がる一対の側板部を有する。
【００１６】
本発明の好ましい実施の形態においては、前記一対の側板部には、軸部材が挿通される貫通孔が設けられている。
【００１７】
本発明の好ましい実施の形態においては、前記軸部材は、前記弾性部材を貫通する。
【００１８】
本発明の好ましい実施の形態においては、前記アーム部は、先端に設けられており且つ前記係合部材に係合する係合部を有する。
【００１９】
本発明の好ましい実施の形態においては、前記離間状態において、前記係合部材は前記アーム部の前記係合部と係合し、前記近接状態において、前記係合部材は前記アーム部のうち前記係合部よりも根本寄りの部位に当接する。
【００２０】
本発明の好ましい実施の形態においては、前記アーム部は、金属からなる。
【００２１】
本発明の好ましい実施の形態においては、前記アーム部は、バネ鋼からなる。
【００２２】
本発明の好ましい実施の形態においては、前記アーム部は、樹脂からなる。
【００２３】
本発明の好ましい実施の形態においては、前記弾性部材は、前記閉状態において前記アーム部を前記閉状態に維持しうる弾性力を発揮する。
【００２４】
本発明の好ましい実施の形態においては、前記弾性部材は捻じりバネである。
【００２５】
本発明の好ましい実施の形態においては、前記取付手段は、前記アーム部を前記支持体に取り付ける固定部材を有する。
【００２６】
本発明の好ましい実施の形態においては、前記固定部材は、前記弾性部材の一端を収容する溝状部を有する。
【００２７】
本発明の好ましい実施の形態においては、前記ＬＥＤユニットは、前記複数のＬＥＤチップを支持する基板を有する。
【００２８】
本発明の好ましい実施の形態においては、前記ＬＥＤチップは、前記基板において前記第１の方向に沿って配列されている。
【００２９】
本発明の好ましい実施の形態においては、前記ＬＥＤユニットは、前記基板を支持する支持部材を有する。
【００３０】
本発明の好ましい実施の形態においては、前記支持部材は、前記第１の方向に延びている。
【００３１】
本発明の好ましい実施の形態においては、前記支持部材は、前記第１の方向に対して直角である断面形状が一定である。
【００３２】
本発明の好ましい実施の形態においては、前記支持体は、金属板を折り曲げ加工することによって形成されている。
【００３３】
本発明の好ましい実施の形態においては、前記支持体は、前記基板を支持する支持板部と、該支持板部の両側端から前記支持体側に起立する一対の側板部とを有する。
【００３４】
本発明の好ましい実施の形態においては、前記各側板部の先端は、折り返されている。
【００３５】
本発明の好ましい実施の形態においては、前記ＬＥＤユニットは、前記ＬＥＤチップからの光を透過させるカバーを有する。
【００３６】
本発明の好ましい実施の形態においては、前記カバーは、前記ＬＥＤチップからの光を拡散させつつ透過させる。
【００３７】
本発明の好ましい実施の形態においては、前記カバーは、樹脂からなる。
【００３８】
本発明の好ましい実施の形態においては、前記カバーは、前記第１の方向に対して直角である断面形状が一定である。
【００３９】
本発明の好ましい実施の形態においては、前記カバーは、前記支持部材に対して固定されている。
【００４０】
本発明の好ましい実施の形態においては、前記カバーは、前記第２の方向において前記支持体とは反対側に膨出する膨出部を有する。
【００４１】
本発明の好ましい実施の形態においては、前記カバーは、前記支持部材と係合する一対の係合部を有する。
【００４２】
本発明の好ましい実施の形態においては、前記カバーは、前記第１の方向視において前記支持部材よりも大である。
【００４３】
本発明の好ましい実施の形態においては、前記支持体は、前記ＬＥＤユニットの一部を収容する溝部を有する。
【００４４】
本発明の好ましい実施の形態においては、前記支持体は、前記溝部の両側に位置する一対の斜面部を有する。
【００４５】
本発明の好ましい実施の形態においては、前記支持体には、取付対象部位に設けられた電源ケーブルを挿通させる貫通孔と、該貫通孔を挟んで前記ＬＥＤユニットの電源部とは反対側に固定されており且つ前記電源部から延びるケーブルと接続される中間ケーブルと、が設けられている。
【００４６】
本発明の好ましい実施の形態においては、前記ＬＥＤユニットの前記取付手段による支持位置と前記第１の方向における前記ＬＥＤユニットの端縁との距離は、前記ＬＥＤユニットの前記第１の方向における長さの３％以上２５％以下である。
【００４７】
本発明の好ましい実施の形態においては、前記第１の方向において互いに離間して配置された２つの上記取付手段を備える。
【００４８】
本発明の第２の側面によって提供されるＬＥＤ照明灯は、複数のＬＥＤチップを具備するＬＥＤ発光部と、前記ＬＥＤ発光部を支持する細長状の支持部材と、前記ＬＥＤ発光部および前記支持部材を収容し、かつ前記ＬＥＤ発光部からの光を透過する筒形状の透光カバーと、前記支持部材の両端に位置する一対の口金と、を備え、前記口金は、本体ケース、環状固定具および環状パッキンを有しており、前記本体ケースは、前記支持部材に対して固定されており、前記環状固定具は、前記本体ケースに対して固定されており、前記環状パッキンは、前記環状固定具に対して固定されているとともに、前記透光カバーの長手方向端部から内方に退避した位置において、前記透光カバーに外嵌されている。
【００４９】
本発明の好ましい実施の形態においては、前記本体ケースは、前記透光カバーに対して相対動可能とされている。
【００５０】
本発明の好ましい実施の形態においては、前記環状固定具は、前記透光カバーに対して相対動可能とされている。
【００５１】
本発明の好ましい実施の形態においては、前記環状固定具は、前記本体ケースに対して径方向外側に配置されている。
【００５２】
本発明の好ましい実施の形態においては、前記本体ケースは、前記透光カバーに対して径方向外側に配置されており、且つ長手方向において前記透光カバーと重なる部分を有する。
【００５３】
本発明の好ましい実施の形態においては、前記環状固定具は、前記本体ケースに対して係合により固定されている。
【００５４】
本発明の好ましい実施の形態においては、前記本体ケースは、径方向外方に突出する突起を有しており、前記環状固定具は、前記突起に係合する係合孔を有する。
【００５５】
本発明の好ましい実施の形態においては、前記環状固定具は、周方向において互いに分割された複数の個片部を含む。
【００５６】
本発明の好ましい実施の形態においては、前記環状パッキンは、前記環状固定具に対して係合により固定されている。
【００５７】
本発明の好ましい実施の形態においては、前記環状固定具は、径方向内方から径方向外方に凹む環状溝を有しており、前記環状パッキンは、径方向外方に突出し、且つ前記環状溝と係合する外部係合環状突起を有する。
【００５８】
本発明の好ましい実施の形態においては、前記環状溝は、周方向全周にわたって形成されている。
【００５９】
本発明の好ましい実施の形態においては、前記外部係合環状突起は、周方向全周にわたって形成されている。
【００６０】
本発明の好ましい実施の形態においては、前記環状パッキンは、前記環状固定具の長手方向内方端に隣接し、且つ径方向外方に突出する外部先端環状突起を有する。
【００６１】
本発明の好ましい実施の形態においては、前記外部先端環状突起は、周方向全周にわたって形成されている。
【００６２】
本発明の好ましい実施の形態においては、前記環状パッキンは、径方向外方から径方向内方に突出し、且つ長手方向内方端に位置する内部先端環状突起を有する。
【００６３】
本発明の好ましい実施の形態においては、前記内部先端環状突起は、前記透光カバーに当接している。
【００６４】
本発明の好ましい実施の形態においては、前記内部先端環状突起は、周方向全周にわたって形成されている。
【００６５】
本発明の好ましい実施の形態においては、前記環状パッキンは、径方向外方から径方向内方に突出し、且つ長手方向において前記先端環状突起よりも外方に位置する内部中間環状突起を有する。
【００６６】
本発明の好ましい実施の形態においては、前記内部中間環状突起は、前記透光カバーに当接している。
【００６７】
本発明の好ましい実施の形態においては、前記内部中間環状突起は、周方向全周にわたって形成されている。
【００６８】
本発明の好ましい実施の形態においては、前記環状パッキンは、互いに長手方向に離間配置された複数の前記内部中間環状突起を有する。
【００６９】
本発明の好ましい実施の形態においては、前記本体ケースは、前記支持部材に対してねじによって固定されている。
【００７０】
本発明の好ましい実施の形態においては、前記本体ケースには、前記ねじを挿通させるねじ用孔が設けられている。
【００７１】
本発明の好ましい実施の形態においては、前記支持部材は、前記ねじが固定される筒状部を有する。
【００７２】
本発明の好ましい実施の形態においては、前記筒状部は、前記支持部材の長手方向全長にわたって設けられている。
【００７３】
本発明の好ましい実施の形態においては、前記支持部材は、一対の前記筒状部を有する。
【００７４】
本発明の好ましい実施の形態においては、前記支持部材は、長手方向に延びる平板帯状の天板部と、この天板部の幅方向両端に繋がる一対の側板部と、を有している。
【００７５】
本発明の好ましい実施の形態においては、前記一対の筒状部は、前記側板部の端部に設けられている。
【００７６】
本発明の好ましい実施の形態においては、前記透光カバーは、各々が径方向内方に突出し、且つ前記支持部材の前記一対の筒状部に係合する一対の内方リブを有する。
【００７７】
本発明の好ましい実施の形態においては、前記一対の内方リブは、前記透光カバーの長手方向全長にわたって設けられている。
【００７８】
本発明の好ましい実施の形態においては、前記ＬＥＤ発光部は、前記支持部材の前記天板部に支持されている。
【００７９】
本発明の好ましい実施の形態においては、前記ＬＥＤ発光部は、各々が前記ＬＥＤチップ、このＬＥＤチップを覆う透光樹脂、および実装端子を有する複数のＬＥＤモジュールを含む。
【００８０】
本発明の好ましい実施の形態においては、前記透光樹脂は、前記ＬＥＤチップからの光によって励起されることにより前記ＬＥＤチップからの光とは異なる波長の光を発する蛍光材料が混入されている。
【００８１】
本発明の好ましい実施の形態においては、前記ＬＥＤ発光部は、前記複数のＬＥＤモジュールが搭載されており、且つ前記天板部に固定された基板を有する。
【００８２】
本発明の好ましい実施の形態においては、前記支持部材に係合し、且つ前記ＬＥＤ発光部の前記基板を前記支持部材に対して固定する固定具を備える。
【００８３】
本発明の好ましい実施の形態においては、前記支持部材は、金属からなる。
【００８４】
本発明の好ましい実施の形態においては、前記支持部材は、Ａｌからなる。      
【００８５】
本発明の第３の側面によって提供されるＬＥＤ照明灯は、複数のＬＥＤチップを具備するＬＥＤ発光部と、前記ＬＥＤ発光部を支持する細長状の支持部材と、前記ＬＥＤ発光部および前記支持部材を収容し、かつ前記ＬＥＤ発光部からの光を透過する筒形状の透光カバーと、前記支持部材の両端に位置する一対の口金と、を備え、前記ＬＥＤ発光部は、各々が前記ＬＥＤチップ、このＬＥＤチップを覆う透光樹脂、および実装端子を有する複数のＬＥＤモジュールと、前記複数のＬＥＤモジュールが搭載された基板と、を有し、前記支持部材は、長手方向に延びる平板帯状の天板部と、この天板部の幅方向両端に繋がる一対の側板部と、を有しており、前記支持部材に係合し、前記支持部材の前記天板部の幅方向に互いに離間して配置されており、且つ前記支持部材の前記天板部との間に前記ＬＥＤ発光部の前記基板を挟むとともに前記ＬＥＤモジュールを露出させる外天板部をそれぞれが有する、前記支持部材よりも反射率が高い材質からなる一対の固定具を備える。
【００８６】
本発明の好ましい実施の形態においては、前記固定具は、白色である。
【００８７】
本発明の好ましい実施の形態においては、前記固定具は、樹脂からなる。
【００８８】
本発明の好ましい実施の形態においては、前記支持部材は、金属からなる。
【００８９】
本発明の好ましい実施の形態においては、前記支持部材は、アルミからなる。
【００９０】
本発明の好ましい実施の形態においては、前記基板は、前記ＬＥＤモジュールを実装するための配線パターンと、前記配線パターンを覆うレジスト層とを含む。
【００９１】
本発明の好ましい実施の形態においては、前記レジスト層は、白色である。
【００９２】
本発明の好ましい実施の形態においては、前記基板の厚さ方向視において、前記固定具の前記外天板部と前記レジスト層とが重なっている。
【００９３】
本発明の好ましい実施の形態においては、前記基板の厚さ方向視において、前記固定具の前記外天板部と前記配線パターンとは、互いに重ならない。
【００９４】
本発明の好ましい実施の形態においては、前記基板の厚さ方向視において、前記固定具の前記外天板部と前記レジスト層および前記配線パターンとが重なっている。
【００９５】
本発明の好ましい実施の形態においては、前記基板の厚さ方向視において、前記ＬＥＤ発光部および前記一対の固定具の外観において前記一対の固定具の前記外天板部が占める割合である第１高反射領域率が、６４％以上８０％以下である。
【００９６】
本発明の好ましい実施の形態においては、前記基板の厚さ方向視および幅方向視において、前記支持部材、前記ＬＥＤ発光部および前記一対の固定具の外観において前記一対の固定具が占める割合である三方第１高反射領域率が、６９％以上７９％以下である。
【００９７】
本発明の好ましい実施の形態においては、前記基板の厚さ方向視において、前記ＬＥＤ発光部および前記一対の固定具の外観において前記一対の固定具の前記外天板部および前記レジスト層が占める割合である第２高反射領域率が、９０％以上９５％以下である。
【００９８】
本発明の好ましい実施の形態においては、前記固定具は、前記外天板部に繋がり、且つ前記支持部材の前記側板部に対して幅方向外方に位置する外側板部をそれぞれ有する。
【００９９】
本発明の好ましい実施の形態においては、前記支持部材は、前記天板部と前記一対の側板部との間に介在し、長手方向視において円弧形状である一対の円弧部を有する。
【０１００】
本発明の好ましい実施の形態においては、前記支持部材は、前記天板部と前記一対の円弧部との連結部分から幅方向外方に位置する一対の外方リブを有しており、前記一対の固定具と前記一対の外方リブとが係合している。
【０１０１】
本発明の好ましい実施の形態においては、前記外方リブは、前記天板部に沿って幅方向外方に延出する一対の拡幅部と、前記一対の拡幅部から前記一対の側板部とは反対側に起立する一対の起立部と、を有する。
【０１０２】
本発明の好ましい実施の形態においては、前記固定具は、前記外方リブの前記拡幅部に対して前記起立部とは反対側において前記外側板部から突出する下方リブを有する。
【０１０３】
本発明の好ましい実施の形態においては、前記固定具は、前記外方リブの前記起立部に対して幅方向外方において前記外側板部から突出する外側方リブを有する。
【０１０４】
本発明の好ましい実施の形態においては、前記固定具は、前記外方リブの前記起立部に対して前記幅方向内方において前記外天板部から突出する内側方リブを有する。
【０１０５】
本発明の好ましい実施の形態においては、前記透光樹脂は、前記ＬＥＤチップからの光によって励起されることにより前記ＬＥＤチップからの光とは異なる波長の光を発する蛍光材料が混入されている。
【０１０６】
本発明の好ましい実施の形態においては、前記複数のＬＥＤモジュールは、出射する光の色温度が互いに異なる第１ＬＥＤモジュールと第２ＬＥＤモジュールとを含む。
【０１０７】
本発明の好ましい実施の形態においては、前記第１ＬＥＤモジュールは、昼白色を出射する。
【０１０８】
本発明の好ましい実施の形態においては、前記第２ＬＥＤモジュールは、電球色を出射する。
【０１０９】
本発明の好ましい実施の形態においては、前記口金は、本体ケース、環状固定具および環状パッキンを有しており、前記本体ケースは、前記支持部材に対して固定されており、前記環状固定具は、前記本体ケースに対して固定されており、前記環状パッキンは、前記環状固定具に対して固定されているとともに、前記透光カバーの長手方向端部から内方に退避した位置において、前記透光カバーに外嵌されている。
【０１１０】
本発明の好ましい実施の形態においては、前記本体ケースは、前記支持部材に対してねじによって固定されている。
【０１１１】
本発明の好ましい実施の形態においては、前記本体ケースには、前記ねじを挿通させるねじ用孔が設けられている。
【０１１２】
本発明の好ましい実施の形態においては、前記支持部材は、前記ねじが固定される筒状部を有する。
【０１１３】
本発明の好ましい実施の形態においては、前記筒状部は、前記支持部材の長手方向全長にわたって設けられている。
【０１１４】
本発明の好ましい実施の形態においては、前記支持部材は、一対の前記筒状部を有する。
【０１１５】
本発明の好ましい実施の形態においては、前記一対の筒状部は、前記側板部の端部に設けられている。
【０１１６】
本発明の好ましい実施の形態においては、前記透光カバーは、各々が径方向内方に突出し、且つ前記支持部材の前記一対の筒状部に係合する一対の内方リブを有する。
【０１１７】
本発明の好ましい実施の形態においては、前記一対の内方リブは、前記透光カバーの長手方向全長にわたって設けられている。
【０１１８】
本発明の好ましい実施の形態においては、前記ＬＥＤ発光部は、前記支持部材の前記天板部に支持されている。
【０１１９】
本発明の好ましい実施の形態においては、前記本体ケースは、前記透光カバーに対して相対動可能とされている。
【０１２０】
本発明の好ましい実施の形態においては、前記環状固定具は、前記透光カバーに対して相対動可能とされている。
【０１２１】
本発明の好ましい実施の形態においては、前記環状固定具は、前記本体ケースに対して径方向外側に配置されている。
【０１２２】
本発明の好ましい実施の形態においては、前記本体ケースは、前記透光カバーに対して径方向外側に配置されており、且つ長手方向において前記透光カバーと重なる部分を有する。
【０１２３】
本発明の好ましい実施の形態においては、前記環状固定具は、前記本体ケースに対して係合により固定されている。
【発明の効果】
【０１２４】
本発明によれば、前記アーム部が閉状態をとることにより、前記ＬＥＤユニットが近接状態をとっている。前記アーム部には、前記弾性部材から閉方向への弾性力が付与されるため、近接状態が安定的に維持される。この結果、通常の使用時には、前記ＬＥＤユニットが前記支持体に対して安定して固定される。一方、前記ＬＥＤユニットの設置作業や前記ＬＥＤユニットのいずれかの構成要素を交換する作業などを行う際には、使用者が前記弾性部材の弾性力を上回る力で前記ＬＥＤユニットを前記支持体から離間させようとすると、前記アーム部が開状態をとる。これにより、前記ＬＥＤユニットは、前記支持体から離間した離間状態をとる。この際、前記係合部材が前記アーム部と係合するため、前記ＬＥＤユニットが、前記支持体から誤って落下することなどを防止することができる。したがって、前記ＬＥＤ照明装置によれば、設置や交換の作業を適切に行うことが可能である。
【０１２５】
本発明のその他の特徴および利点は、添付図面を参照して以下に行う詳細な説明によって、より明らかとなろう。
【図面の簡単な説明】
【０１２６】
【図１】本発明の第１実施形態に基づくＬＥＤ照明装置を示す平面図である。
【図２】図１のＬＥＤ照明装置を示す正面図である。
【図３】図１のＩＩＩ−ＩＩＩ線に沿う要部拡大断面図である。
【図４】図１のＩＶ−ＩＶ線に沿う断面図である。
【図５】図１のＬＥＤ照明装置のＬＥＤユニットを示す断面図である。
【図６】図１のＬＥＤ照明装置のベースを示す平面図である。
【図７】図１のＬＥＤ照明装置の取付手段を示す要部斜視図である。
【図８】図１のＬＥＤ照明装置の取付手段を示す要部平面図である。
【図９】図８のＩＸ−ＩＸ線に沿う要部断面図である。
【図１０】図１のＬＥＤ照明装置の取付手段のアーム部を示す斜視図である。
【図１１】図１のＬＥＤ照明装置の取付手段のアーム部を示す平面図である。
【図１２】図１のＬＥＤ照明装置の取付手段のアーム部を示す正面図である。
【図１３】図１のＬＥＤ照明装置の取付手段の固定部材を示す斜視図である。
【図１４】図１のＬＥＤ照明装置の取付手段の固定部材を示す平面図である。
【図１５】図１のＬＥＤ照明装置の取付手段の固定部材を示す正面図である。
【図１６】図１のＬＥＤ照明装置の取付手段の固定部材を示す側面図である。
【図１７】図１のＬＥＤ照明装置のＬＥＤモジュールを示す断面図である。
【図１８】図１のＬＥＤ照明装置の一状態を示す要部拡大断面図である。
【図１９】図１のＬＥＤ照明装置の離間状態を示す要部拡大断面図である。
【図２０】ＬＥＤユニットの変形例を示す断面図である。
【図２１】本発明の第２実施形態に基づくＬＥＤ照明灯の一例を示す正面図である。
【図２２】図２１のＸＸＩＩ−ＸＸＩＩ線に沿う断面図である。
【図２３】図２１のＬＥＤ照明灯を示す要部断面図である。
【図２４】図２１のＬＥＤ照明灯を示す要部平面図である。
【図２５】図２２のＸＸＶ−ＸＸＶ線に沿う要部断面図である。
【図２６】図２１のＬＥＤ照明灯を示す要部拡大断面図である。
【図２７】図２１のＬＥＤ照明灯の一方の口金の本体ケースを示す正面図である。
【図２８】図２１のＬＥＤ照明灯の一方の口金の本体ケースを示す側面図である。
【図２９】図２１のＬＥＤ照明灯の他方の口金の本体ケースを示す正面図である。
【図３０】図２１のＬＥＤ照明灯の他方の口金の本体ケースを示す側面図である。
【図３１】図２１のＬＥＤ照明灯の環状固定具を示す正面図である。
【図３２】図２１のＬＥＤ照明灯の環状固定具を示す分解斜視図である。
【図３３】図２１のＬＥＤ照明灯の環状パッキンを示す斜視図である。
【図３４】図２１のＬＥＤ照明灯の環状パッキンを示す正面図である。
【図３５】図３４のＸＸＸＶ−ＸＸＸＶ線に沿う断面図である。
【図３６】図２１のＬＥＤ照明灯のＬＥＤモジュールを示す断面図である。
【図３７】本発明の第３実施形態に基づくＬＥＤ照明灯を示す要部平面図である。
【図３８】本発明の第４実施形態に基づくＬＥＤ照明灯を示す要部断面図である。
【図３９】従来のＬＥＤ照明灯の一例を示す断面図である。
【発明を実施するための形態】
【０１２７】
以下、本発明の好ましい実施の形態につき、図面を参照して具体的に説明する。
【０１２８】
図１〜２１における符号と、これらの図を参照して説明する第１実施形態のＬＥＤ照明装置Ａ１の符号および語句とはこれらの実施形態についてのみ有効であり、後述する図２１〜図３８における符号とこれらの図を参照して説明する第２実施形態のＬＥＤ照明灯Ａ２ないし第４実施形態のＬＥＤ照明灯Ａ４の符号および語句とは、独立している。
【０１２９】
図１〜図４は、本発明の第１実施形態に基づくＬＥＤ照明装置を示している。本実施形態のＬＥＤ照明装置Ａ１は、ベース１、ＬＥＤユニット２および２つの取付手段６を備えている。ＬＥＤ照明装置Ａ１は、たとえば天井に取り付けられることにより、室内照明に用いられる。ＬＥＤ照明装置Ａ１のｘ方向長さは、たとえば１２５０ｍｍ程度であり、ｙ方向の幅は、たとえば２３０ｍｍ程度であり、ｚ方向の高さは、たとえば４９ｍｍ程度である。なお、ｘ方向は、本発明で言う第１の方向に相当し、ｚ方向は、本発明で言う第２の方向に相当する。ｙ方向は、ｘ方向およびｚ方向のいずれに対しても直角である方向である。
【０１３０】
図１は、ＬＥＤ照明装置Ａ１を示す平面図である。図２は、ＬＥＤ照明装置Ａ１を示す正面図である。図３は、図１のＩＩＩ−ＩＩＩ線に沿う要部拡大断面図である。図４は、図１のＩＶ−ＩＶ線に沿う断面図である。
【０１３１】
ベース１は、天井などに取り付けられるものであり、且つＬＥＤユニット２を支持するものである。図６は、ベース１を示す平面図である。ベース１は、本発明で言う支持体の一例に相当する。本実施形態のベース１は、溝部１１、一対の斜面部１２、貫通孔１３，１４および中間ケーブル１６を有している。
【０１３２】
ベース１は、たとえば金属板を折り曲げ加工等することによって形成されている。ベース１のｘ方向の長さは、たとえば１２５０ｍｍ程度であり、ｙ方向の幅はたとえば２３０ｍｍ程度である。
【０１３３】
溝部１１は、ＬＥＤユニット２を収容する部位である。溝部１１は、ｚ方向に凹んでおり、ｘ方向に長く延びている。一対の斜面部１２は、溝部１１のｙ方向両端に繋がっており、ｙ方向外方に位置している。斜面部１２は、ｙ方向において溝部１１から離間するほど、図中ｚ方向上方（ＬＥＤユニット２の出射方向とは反対側）に位置するように傾斜している。
【０１３４】
貫通孔１３，１４は、ベース１の溝部１１をｚ方向に貫通している。本実施形態においては、貫通孔１３は、ベース１のｘ方向中央に位置している。貫通孔１３は、ＬＥＤ照明装置Ａ１の取付対象部位である天井などに設けられた電源ケーブル８１を挿通させるものである。これにより、電源ケーブル８１は、溝部１１の外方から溝部１１の内方へと導かれる。貫通孔１４は、ベース１のｘ方向図中右側に位置している。貫通孔１４は、後述するＬＥＤユニット２の電源部５のケーブル５１を挿通させるものである。これにより、ケーブル５１は、溝部１１の外方から溝部１１の内方へと導かれる。
【０１３５】
中間ケーブル１６は、後述するＬＥＤユニット２の電源部５のケーブル５１と接続されるものである。また、中間ケーブル１６の根元には端子台が設けられている。この端子台に電源ケーブル８１が接続されることにより、電源ケーブル８１と中間ケーブル１６とが導通する。中間ケーブル１６は、貫通孔１３を挟んでＬＥＤユニット２の電源部５とはｘ方向において反対側に設けられている。
【０１３６】
ＬＥＤユニット２は、ＬＥＤ照明装置Ａ１の光源機能を発揮するユニットである。ＬＥＤユニット２は、ｚ方向においてベース１によって支持されている。また、ＬＥＤユニット２は、ベース１によってｘ方向およびｙ方向においても支持されている。ＬＥＤユニット２は、ｘ方向に長く延びる細長状であり、ベース１の溝部１１に収容される。
【０１３７】
ＬＥＤユニット２は、複数のＬＥＤモジュール２０、基板３５、支持部材３、カバー４および電源部５を備えている。図５は、ＬＥＤユニット２を示す断面図である。
【０１３８】
図１７は、ＬＥＤモジュール２０の一例を示す拡大断面図である。ＬＥＤモジュール２０は、リード２１、ＬＥＤチップ２２、封止樹脂２３、およびリフレクタ２４を備えている。１対のリード２１は、たとえばＣｕ合金からなり、その一方にＬＥＤチップ２２が搭載されている。リード２１のうちＬＥＤチップ２２が搭載された面と反対側の面は、ＬＥＤモジュール２０を面実装するために用いられる実装端子とされている。
【０１３９】
ＬＥＤチップ２２は、ＬＥＤモジュール２０の光源であり、たとえば青色光を発光可能とされている。封止樹脂２３は、ＬＥＤチップ２２を保護するためのものである。封止樹脂２３は、ＬＥＤチップ２２からの光によって励起されることにより黄色光を発する蛍光物質を含む透光樹脂を用いて形成されている。これにより、ＬＥＤモジュール２０は、白色を照射することができる。上記蛍光物質としては、黄色光を発するものに代えて、赤色光を発するものと緑色光を発するものとを混合して用いてもよい。リフレクタ２４はたとえば白色樹脂からなり、ＬＥＤチップ２２から側方に発された光を上方に反射するためのものである。
【０１４０】
基板３５は、ｘ方向を長手方向、ｙ方向を幅方向とする帯状であり、たとえばセラミックスあるいはガラスエポキシ樹脂からなる。本実施形態においては、基板３５には、複数のＬＥＤモジュール２０がｘ方向に沿って一列に搭載されている。
【０１４１】
支持部材３は、基板３５を支持している。支持部材３は、ｘ方向に延びている。また、支持部材３は、ｘ方向に対して直角である断面形状が一定である。本実施形態においては、支持部材３は、金属板を折り曲げ加工することによって形成されている。支持部材３には、貫通孔３３が設けられている。
【０１４２】
支持部材３は、支持板部３１および一対の側板部３２を有している。支持板部３１は、ｘ方向を長手方向、ｙ方向を幅方向とする帯板状であり、基板３５を支持する部位である。一対の側板部３２は、支持板部３１のｙ方向両側端からベース１側に起立している。側板部３２のｚ方向端部は、折り返されている。
【０１４３】
カバー４は、ＬＥＤモジュール２０のＬＥＤチップ２２からの光を透過させる。また、本実施形態においては、カバー４は、ＬＥＤモジュール２０のＬＥＤチップ２２からの光を拡散させつつ透過させる。より具体的には、カバー４は、乳白色の半透明の樹脂からなる。カバー４は、ｘ方向に対して直角である断面形状が一定である。また、本実施形態においては、カバー４は、ｚ方向視において支持部材３よりも大である。
【０１４４】
図示された例においては、カバー４は、膨出部４１および一対の係合部４２を有する。膨出部４１は、ｚ方向においてベース１とは反対側に膨出している。一対の係合部４２は、支持部材３の一対の側板部３２と係合する部位である。係合部４２は、たとえば膨出部４１からｚ方向図中上方に起立した部位の先端部分が折り返された形状とされている。
【０１４５】
電源部５は、たとえば商用ＡＣ１００Ｖ電力をＬＥＤモジュール２０のＬＥＤチップ２２を発行させるのに適したＤＣ３６Ｖないしは２４Ｖに変換する機能を果たすものである。電源部５は、支持部材３の支持板部３１と一対の側板部３２に囲まれた空間に配置されており、基板３５とは支持板部３１を挟んで反対側に位置している。また、電源部５は、図２および図６に示すように、ベース１のｘ方向一方寄りに配置されている。図４に示すように、電源部５と基板３５とは、ＬＥＤケーブル２９によって接続されている。ＬＥＤケーブル２９は、支持部材３の貫通孔３３を通じて配置されている。
【０１４６】
取付手段６は、ベース１に対してＬＥＤユニット２を固定するとともに、ＬＥＤユニット２をベース１に対して意図した距離をおいて離間させた状態を維持するためのものである。かかる意図により、取付手段６は、ＬＥＤユニット２にベース１に対してｚ方向において近接する近接状態と、ＬＥＤユニット２にベース１に対してｚ方向において離間する離間状態と、をとらせる。本実施形態においては、２つの取付手段６がｘ方向に互いに離間して配置されている。
【０１４７】
取付手段６は、アーム部６１、捻じりバネ６２、固定部材６３および係合部材６５を有する。
【０１４８】
図７〜図９は、互いに組み合わされたアーム部６１、捻じりバネ６２および固定部材６３を示している。図１０〜図１２は、アーム部６１を示している。図１３〜図１６は、固定部材６３を示している。
【０１４９】
アーム部６１は、固定部材６３を介して、ベース１に開閉可能に取り付けられている。アーム部６１は、たとえば金属または樹脂からなる。金属材料の例としては、ステンレス鋼などの剛体としての金属、またはバネ鋼などの弾性挙動を顕著に示す金属が挙げられる。
【０１５０】
図２および図３は、アーム部６１が閉状態をとった状態を示している。また、図１９は、アーム部６１が開状態をとった状態を示している。図２および図３に示すように、アーム部６１が閉状態をとると、ＬＥＤユニット２が近接状態をとる。一方、図１９に示すように、アーム部６１が開状態をとると、ＬＥＤユニット２が離間状態をとる。
【０１５１】
アーム部６１は、円弧状部６１１、係合部６１２および１対の側板部６１３を有する。円弧状部６１１は、閉状態においてＬＥＤユニット２側に凸である円弧形状をなしている。係合部６１２は、アーム部６１の先端に設けられており、係合部材６５と係合する。図示された例においては、係合部６１２は、アーム部６１の先端部分が折られることによって形成されている。一対の側板部６１３は、円弧状部６１１の根元側に繋がっている。一対の側板部６１３の各々には、貫通孔６１４が設けられている。貫通孔６１４には、軸部材６６が挿通される。
【０１５２】
捻じりバネ６２は、アーム部６１に対して閉方向に向かう弾性力を付与するものであり、本発明で言う弾性部材の一例である。捻じりバネ６２の一端は固定部材６３に作用力および反作用力を付与可能に接しまたは固定されており、他端はアーム部６１に作用力および反作用力を付与可能に接しまたは固定されている。捻じりバネ６２は、閉状態にあるアーム部６１に閉方向の弾性力を付与するように設定および配置されていることが好ましい。
【０１５３】
固定部材６３は、アーム部６１をベース１に対して取り付けるためのものであり、ベース１に固定されている。固定部材６３は、溝状部６３１および一対の貫通孔６３２を有する。溝状部６３１は、捻じりバネ６２の一端を収容している。一対の貫通孔６３２は、軸部材６６が挿通される。アーム部６１および固定部材６３の双方に軸部材６６が挿通されることにより、アーム部６１は、固定部材６３に対して開閉可能に支持されている。また、固定部材６３には、貫通孔６３３が形成されている。固定部材６３をベース１に固定するには、たとえばビス、リベットまたはボルトなどを貫通孔６３３に挿通し、これらをベース１に固定する手法を採用できる。
【０１５４】
係合部材６５は、ＬＥＤユニット２に固定されており、アーム部６１の係合部６１２と係合する部位である。係合部材６５は、窓部６５１を有している。窓部６５１は、たとえば矩形状であり、アーム部６１が挿通されている。本実施形態においては、取付手段６によるＬＥＤユニット２の支持位置とＬＥＤユニット２のｘ方向端との距離Ｄは、ＬＥＤユニット２のｘ方向の長さＬの３％以上２５％以下である。なお、取付手段６によるＬＥＤユニット２の支持位置は、本実施形態においては、係合部材６５の窓部６５１においてアーム部６１が当接するため、窓部６５１の位置として定義される。
【０１５５】
本実施形態においては、アーム部６１は、ｘ方向およびｚ方向を含む平面において回動する。アーム部６１は、閉状態であるときにベース１にｚ方向において最も近接し、開状態であるときにｚ方向においてベース１から最も離間する。アーム部６１は、閉状態であるときにｘ方向に沿った姿勢をとる。アーム部６１は、開状態であるときにｚ方向に沿った姿勢をとる。
【０１５６】
次に、ＬＥＤ照明装置Ａ１の作用について説明する。
【０１５７】
本実施形態によれば、図２および図３に示す状態においては、アーム部６１が閉状態をとることにより、ＬＥＤユニット２が近接状態をとっている。アーム部６１には、捻じりバネ６２から閉方向への弾性力が付与されるため、近接状態が安定的に維持される。この結果、通常の使用時には、ＬＥＤユニット２がベース１に対して安定して固定される。一方、ＬＥＤユニット２の設置作業やＬＥＤユニット２のいずれかの構成要素を交換する作業などを行う際には、使用者が捻じりバネ６２の弾性力を上回る力でＬＥＤユニット２をベース１から離間させようとすると、アーム部６１が開状態に向かい、図１９に示す開状態をとる。これにより、ＬＥＤユニット２は、ベース１から離間した離間状態をとる。この際、係合部材６５がアーム部６１と係合するため、ＬＥＤユニット２が、ベース１から誤って落下することなどを防止することができる。したがって、ＬＥＤ照明装置Ａ１によれば、設置や交換の作業を適切に行うことが可能である。
【０１５８】
アーム部６１とは別体とされた弾性部材としての捻じりバネ６２を備えることにより、捻じりバネ６２は、弾性力を発揮する機能のみが担保されればよい。たとえば、アーム部６１と捻じりバネ６２とを一体的に形成すると、アーム部６１に相当する箇所にも弾性力を発揮することが求められる。しかしながら、アーム部６１および捻じりバネ６２をたとえば、バネ鋼などによって一体的に形成すると、開閉の動作において塑性変形してしまうことが懸念される。本実施形態においては、アーム部６１には、弾性力の発揮が不要であるため、アーム部６１として適切な剛性を有しうる構成とすることができる。また、捻じりバネ６２は、意図しない塑性変形を生じない構成を選択することができる。
【０１５９】
なお、アーム部６１をバネ鋼によって形成した場合、図１８に示す閉状態と開状態との間の状態において、アーム部６１の先端がＬＥＤユニット２に干渉しかけても、アーム部６１が撓むことにより、この干渉を回避することができる。この結果、アーム部６１の長さをより長くすることができる。これは、離間状態におけるベース１とＬＥＤユニット２との距離を拡大するのに適している。
【０１６０】
円弧状部６１１を有することにより、開状態においても、ＬＥＤユニット２の係合部材６５に安定して係合することができる。アーム部６１の先端に係合部６１２を設けておくことは、安定した係合に好ましい。
【０１６１】
開状態となったアーム部６１に付与される捻じりバネ６２からの弾性力は、アーム部６１の先端をｘ方向外方へと向かわせる方向に働く。この方向の力は、ＬＥＤユニット２を直ちにｚ方向上方へと向かわせるようには作用しない。このため、使用者がＬＥＤユニット２を下降させることによってＬＥＤユニット２に離間状態をとらせると、捻じりバネ６２からの弾性力が作用しつつも、ＬＥＤユニット２の離間状態が維持される。
【０１６２】
ｘ方向に離間して配置された２つの取付手段６を備えることにより、ＬＥＤユニット２を安定して支持することができる。また、離間状態においては、２つの取付手段６において、アーム部６１の先端をｘ方向外方にそれぞれ向かわせる弾性力が付勢されている。これにより、ＬＥＤユニット２をｘ方向においてより安定して支持しておくことができる。
【０１６３】
距離Ｄが、長さＬの３％以上２５％以下であることにより、ＬＥＤユニット２をより安定して支持することができる。
【０１６４】
ベース１の貫通孔１３には、電源ケーブル８１が導かれる。この貫通孔１３とＬＥＤユニット２の電源部５とをｘ方向において重ならないように配置することにより、電源部５と電源ケーブル８１とが干渉することを回避することが可能である。これは、ＬＥＤ照明装置Ａ１のｚ方向高さを低くするのに適している。
【０１６５】
図２０は、ＬＥＤユニット２の変形例を示す断面図である。
【０１６６】
本変形例においては、支持部材３がアルミなどの押出成形によって形成されている。支持部材３は、断面略コの字状である。また、電源部５は、支持部材３の支持板部３１および一対の側板部３２によって囲まれた空間に、その全体が収容されている。また、カバー４のｙ方向寸法は、支持部材３と略同じとされている。このような変形例であっても、設置や交換の作業を適切に行うことが可能である。
【０１６７】
本発明に係るＬＥＤ照明装置は、上述した実施形態に限定されるものではない。本発明に係るＬＥＤ照明装置の各部の具体的な構成は、種々に設計変更自在である。
【０１６８】
図２１〜図３８における符号とこれらの図を参照して説明する第２実施形態のＬＥＤ照明灯Ａ２ないし第４実施形態のＬＥＤ照明灯Ａ４の符号および語句とは、これらの実施形態についてのみ有効であり、上述した図１〜２１における符号と、これらの図を参照して説明する第１実施形態のＬＥＤ照明装置Ａ１の符号および語句とは、独立している。
【０１６９】
図２１〜図２６は、本発明の第２実施形態に基づくＬＥＤ照明灯の一例を示している。本実施形態のＬＥＤ照明灯Ａ２は、支持部材１、ＬＥＤ発光部２、透光カバー３、一対の固定具４および一対の口金５を備えている。ＬＥＤ照明灯Ａ２は、一般的な直管形蛍光灯の代替品として用いられることが意図されており、たとえば、店舗の屋外に設置された看板の光源として用いられる。
【０１７０】
図２１は、ＬＥＤ照明灯Ａ２を示す正面図である。図２２は、図２１のＸＸＩＩ−ＸＸＩＩ線に沿う断面図である。図２３は、図２１のＸＸＩＩ−ＸＸＩＩ線に沿う要部拡大断面図である。図２４は、ＬＥＤ発光部２および固定具４を主に示す要部平面図である。図２５は、図２２のＸＸＶ−ＸＸＶ線に沿う要部断面図である。図２６は、図２１のＬＥＤ照明灯を示す要部拡大断面図である。なお、以降の説明において、長手方向とは、支持部材１および透光カバー３が長く延びる方向であり、且つ透光カバー３の軸方向であり、図２１における図中左右方向である。また、以降の説明において、軸方向外方とは、ＬＥＤ照明灯Ａ２の外部に向かう側であり、図２１における左右方向外側を意味する。また、軸方向内方とは、ＬＥＤ照明灯Ａ２の外部に向かう側であり、図２１における左右方向内側を意味する。径方向とは、長手方向を軸方向とした場合に、ＬＥＤ照明灯Ａ２の中心から放射状に延びる方向である。周方向とは、長手方向を軸方向として、これを取り囲む方向である。さらに図２２における左右方向を幅方向と呼ぶ場合がある。
【０１７１】
支持部材１は、ＬＥＤ発光部２を支持し、かつＬＥＤ発光部２からの熱を放散する役割を果たすものである。また、支持部材１は、透光カバー３に収容されている。本実施形態においては、支持部材１は、天板部１１、一対の側板部１２、一対の筒状部１３、一対の円弧部１５および一対の外方リブ１４を有する。支持部材１は、たとえばＡｌなどの金属からなり、いわゆる押出成形によって形成される。
【０１７２】
天板部１１は、長手方向に延びる長矩形状とされ、かつＬＥＤ発光部２が取り付けられている。一対の側板部１２は、天板部１１の幅方向両端からＬＥＤ発光部２とは反対側に延びている。このような構成により、支持部材１は、長手方向視略コの字状とされている。
【０１７３】
一対の筒状部１３は、一対の側板部１２の図中下方端に設けられている。筒状部１３は、内部に長手方向に延びる空間を有しているものであればよい。本実施形態においては、筒状部１３は、長手方向視Ｃ字状とされており、これ以外にたとえば長手方向視円形状であってもよい。一対の筒状部１３は、支持部材１の長手方向全長にわたって設けられている。
【０１７４】
一対の円弧部１５は、天板部１１と一対の側板部１２との間に介在している。円弧部１５は、長手方向視において円弧形状である
【０１７５】
一対の外方リブ１４は、天板部１１と一対の円弧部１５との連結部分に設けられており、幅方向外方に位置する。一対の外方リブ１４は、支持部材１の長手方向全長にわたって設けられている。一対の外方リブ１４は、一対の固定具４と係合している。
【０１７６】
外方リブ１４は、拡幅部１４１および起立部１４２を有する。拡幅部１４１は、天板部１１に沿って幅方向外方に延出する部位である。起立部１４２は、拡幅部１４１から側板部１２とは反対側に起立する部位である。
【０１７７】
ＬＥＤ発光部２は、ＬＥＤ照明灯Ａ２の光源であり、本実施形態においては、たとえば昼光色などの白色光を発する。本実施形態のＬＥＤ発光部２は、複数のＬＥＤモジュール２０および基板２７を備えている。基板２７は、たとえばガラスエポキシ樹脂からなるプリント配線基板であり、長矩形状である。
【０１７８】
複数のＬＥＤモジュール２０は、長手方向に沿って１列に配置されており、基板２７に搭載されている。なお、複数のＬＥＤモジュール２０が複数列に配置された構成であってもよい。本実施形態においては、複数のＬＥＤモジュール２０の主出射方向は、図２２における図中上方と一致している。なお、主出射方向とは、ＬＥＤモジュール２０から発せられる光の略中心方向を指すものである。主出射方向を中心として、ＬＥＤモジュール２０からの光が広がるように出射される。ただし、主出射方向における輝度が最大である必要はない。
【０１７９】
図３６は、ＬＥＤモジュール２０の一例を示している。同図のＬＥＤモジュール２０は、ＬＥＤチップ２１、一対のリード２２、ケース２３および透光樹脂２４を具備している。ＬＥＤチップ２１は、たとえばＧａＮ系半導体からなり、たとえば青色光を発する。透光樹脂２４は、ＬＥＤチップ２１を覆っており、たとえば透明樹脂に蛍光材料が混入された材質からなる。この蛍光材料は、ＬＥＤチップ２１からの青色光によって励起されることにより黄色光を発する。この蛍光材料の種類および濃度は、ＬＥＤチップ２１からの青色光とこの蛍光材料からの黄色光とが混色することにより昼白色などの白色を呈するように調整されている。一対のリード２２は、ＬＥＤチップ２１を支持し、かつＬＥＤチップ２１への導通経路となるものであり、たとえばＣｕ合金などからなる。ケース２３は、たとえば白色樹脂からなり、ＬＥＤチップ２１を囲む枠状である。ケース２３の内側面は、ＬＥＤチップ２１からの光を反射することによりこの光を出射させるリフレクタとして機能している。
【０１８０】
基板２７は、配線パターン２７１およびレジスト層２７２を含んでいる。配線パターン２７１は、複数のＬＥＤモジュール２０を実装するためのものであり、基板２７の上面に形成されている。配線パターン２７１は、Ｃｕ，Ｎｉ，Ａｇ等をメッキすることによって形成されている。レジスト層２７２は、配線パターン２７１の大部分を覆うものであり、基板２７の上面のほとんどを覆っている。レジスト層２７２は、樹脂からなり、本実施形態においては、白色である。また、レジスト層２７２には、ＬＥＤモジュール２０と配線パターン２７１とを導通させるための複数の開口が形成されている。
【０１８１】
図２４に示すように、本実施形態においては、複数のＬＥＤモジュール２０が長手方向に沿って１列に配置されている。複数のＬＥＤモジュール２０は、複数の第１ＬＥＤモジュール２０Ａと複数の第２ＬＥＤモジュール２０Ｂとを含んでいる。第１ＬＥＤモジュール２０Ａと第２ＬＥＤモジュール２０Ｂとは、それぞれが発する光の色温度が異なる。本実施形態においては、第１ＬＥＤモジュール２０Ａは、昼光色の光を発し、第２ＬＥＤモジュール２０Ｂは、電球色を発する。複数の第１ＬＥＤモジュール２０Ａと複数の第２ＬＥＤモジュール２０Ｂとの発光輝度をそれぞれ制御することによりＬＥＤ照明灯Ａ２から出射される光の色温度を制御する、いわゆる調光制御を行うことができる。
【０１８２】
本実施形態においては、第１ＬＥＤモジュール２０Ａと第２ＬＥＤモジュール２０Ｂとは、長手方向において交互に配置されている。また、複数の第１ＬＥＤモジュール２０Ａは、各々が互いに直列に接続された複数の第１ＬＥＤモジュール２０Ａからなる複数組が、互いに並列に接続された構成とされている。また、複数の第１ＬＥＤモジュール２０Ｂは、各々が互いに直列に接続された複数の第１ＬＥＤモジュール２０Ｂからなる複数組が、互いに並列に接続された構成とされている。
【０１８３】
ＬＥＤ照明灯Ａ２は、たとえば看板などの照明器具に取り付けるために、電源ケーブル８１を備える。この電源ケーブル８１は、たとえば、口金５の貫通孔５９を通じて口金５および透光カバー３の内部に挿入されている。また、この電源ケーブル８１から商用の１００Ｖ交流電力などが供給される場合、ＬＥＤ発光部２のＬＥＤチップ２１を点灯させるのに適した直流電力に交流電力を変換するための電源部５を内蔵する。電源部５と基板２７とは、ＬＥＤケーブル２９によって接続されている。
【０１８４】
透光カバー３は、ＬＥＤ発光部２からの光を拡散させつつ透過させるものであり、本実施形態においては、支持部材１およびＬＥＤ発光部２および一対の固定具４を収容している。透光カバー３は、長手方向を軸方向とする円筒形状である。透光カバー３は、たとえばポリカーボネート樹脂に乳白色の拡散材が混入された材質からなる。また、本実施形態においては、透光カバー３の熱膨張率は、支持部材１の熱膨張率よりも大である。なお、透光カバー３は、ＬＥＤ発光部２からの光を透過するものであればよく、顕著な拡散機能を果たさない透明な材質からなるものであってもよい。透光カバー３の厚さは、たとえば０．８〜２．０ｍｍである。また、透光カバー３には、一対の内方リブ３２が形成されている。一対の内方リブ３２は、径方向において内方に突出しており、支持部材１の一対の筒状部１３と係合する。一対の内方リブ３２は、透光カバー３の長手方向全長にわたって形成されている。
【０１８５】
一対の固定具４は、ＬＥＤ発光部２の基板２７を支持部材１の天板部１１に対して固定するためのものである。一対の固定具４は、幅方向に離間しており、互いの間から複数のＬＥＤモジュール２０を露出させている。固定具４の材質は特に限定されないが、支持部材１よりも反射率が高い材質からなる。本実施形態においては、固定具４は、ＰＢＴ（ポリブチレンテレフタレート）などの白色樹脂からなる。固定具４は、支持部材１の外方リブ１４を抱え込むようにして外方リブ１４と係合する。この係合状態において、支持部材１の天板部１１と固定具４との間にＬＥＤ発光部２の基板２７が保持される。なお、基板２７の天板部１１への固定は、一対の固定具４による固定に加えて、接着剤や接着テープなどの接合手段を用いてもよい。
【０１８６】
固定具４は、外側板部４１および外天板部４２を有する。外天板部４２は、支持部材１の天板部１１とともに、基板２７を挟む部分である。外側板部４１は、外天板部４２に繋がり、且つ支持部材１の側板部１２に対して幅方向外方に位置する。
【０１８７】
固定具４は、下方リブ４３、複数の外側方リブ４４および内側方リブ４６を有する。
【０１８８】
下方リブ４３は、外方リブ１４の拡幅部１４１に対して起立部１４２とは反対側において外側板部４１から突出している。外側方リブ４４は、外方リブ１４の起立部１４２に対して幅方向外方において外側板部４１から突出している。本実施形態においては、１つの固定具４に２つの外側方リブ４４が設けられている。内側方リブ４６は、外方リブ１４の起立部１４２に対して幅方向内方において外天板部４２から下方に突出する。
【０１８９】
図２４に示す平面視における外観において、一対の固定具４の外天板部４２の幅方向寸法は、８ｍｍ程度である。また、一対の固定具４の下方リブ４３同士の距離は、９ｍｍである。このため、平面視における支持部材１、ＬＥＤ発光部２および固定具４の外観において、一対の固定具４の外天板部４２が占める割合は、本例において６４％である。この割合を、本発明においては、第１高反射領域率という。
【０１９０】
さらに、支持部材１、ＬＥＤ発光部２および固定具４の平面視および側面視における外観においては、一対の固定具４が占める割合を、三方第１高反射領域率と定義する。この三方第１高反射領域率は、透光カバー３の一対の内方リブ３２よりも図２２における上方部分が対象となる。本例においては、三方第１高反射領域率は、６９％である。
【０１９１】
また、同図においては、基板２７のうちＬＥＤモジュール２０を実装するための領域以外には、レジスト層２７２が設けられている。このため、平面視における支持部材１、ＬＥＤ発光部２および固定具４の外観において、一対の固定具４の外天板部４２およびレジスト層２７２が占める割合は、本例において９５％である。この割合を、本発明においては、第２高反射領域率という。
【０１９２】
一対の口金５は、支持部材１および透光カバー３の長手方向両端に位置している。後述するように本実施形態の一対の口金５は、支持部材１に対して固定されている。口金５は、本体ケース５１、環状固定具５２および環状パッキン５３を具備している。後述する具体的構成により、本体ケース５１は、支持部材１に対して固定されており、環状固定具５２は、本体ケース５１に対して固定されており、環状パッキン５３は、環状固定具５２に対して固定されているとともに、透光カバー３の長手方向端部から内方に退避した位置において、透光カバー３に外嵌されている。また、本体ケース５１は、透光カバー３に対して相対動可能とされている。環状固定具５２は、透光カバー３に対して相対動可能とされている。
【０１９３】
図２７および図２８は、図２１において図中左方に位置する口金５を示している。図２９および図３０は、図２１において図中右方に位置する口金５を示している。一対の口金５は、互いに全く同じ構成であってもよいし、本発明が意図する効果を奏する範囲において互いに異なる構成であってもよい。本実施形態においては、図中左方に位置する口金５が付加的な機能を備えている点において、図中右方に位置する口金５と異なっている。一対の口金５は、それぞれ本体ケース５１、環状固定具５２および環状パッキン５３を備える点で共通している。ただし、本体ケース５１の付加的な機能が互いに異なる。
【０１９４】
本体ケース５１は、口金５の土台となるものであり、たとえば樹脂からなる。図２７〜図３０に示すように、この本実施形態の本体ケース５１は、筒状部５１１、底部５１２、一対の凹部５１３、一対のねじ用孔５１４および複数の突起５１５を有する。
【０１９５】
筒状部５１１は、透光カバー３の長手方向を軸方向とする筒状の部分である。図２５に示すように、筒状部５１１は、透光カバー３に対して径方向外側に配置されており、透光カバー３の長手方向端部付近を収容している。これにより、口金５は、長手方向において透光カバー３と重なる部分を有する。
【０１９６】
底部５１２は、筒状部５１１の長手方向外方を塞ぐ部分である。底部５１２の具体的形状等は特に限定されないが、図２５に示すように底部５１２は、透光カバー３の端部３１とは当接しておらず、適切な大きさに設定された隙間が設けられている。
【０１９７】
凹部５１３は、底部５１２から長手方向内方に凹んでいる。図２８および図３０に示すように、本実施形態においては、各本体ケース５１に２つずつの凹部５１３が形成されている。
【０１９８】
ねじ用孔５１４は、凹部５１３の底部に設けられており、凹部５１３の底部を長手方向に貫通している。図２５に示すように、ねじ用孔５１４は、ねじ５９を挿通させるためのものである。また、ねじ用孔５１４は、長手方向視における位置が、支持部材１の筒状部１３と一致している。そして、凹部５１３に挿通されたねじ５９が、筒状部１３にたとえば螺合することによって固定されている。これにより、口金５は、支持部材１に対してねじ５９によって固定されている。
【０１９９】
複数の突起５１５は、径方向外方に突出している。より具体的には、複数の突起５１５は、筒状部５１１から突出している。図２８および図３０に示すように、本実施形態においては、２つずつの突起５１５が径方向両側に配置されている。径方向片側においては、２つの突起５１５が周方向に離間して配置されている。本実施形態の突起５１５は、径方向視矩形状であるが、突起５１５の形状は特に限定されない。また、突起５１５の頂面は、長手方向および周方向に沿った形状とされている。
【０２００】
また、図２７および図２８に示すように、図２１における図中左方に位置する口金５の本体ケース５１には、内圧調整弁５１９が設けられている。内圧調整弁５１９は、内部の圧力が所定の圧力を超えた場合に、内部の気体を外部に放出することにより、内部の圧力を所定の圧力以下に維持する機能を果たす。
【０２０１】
環状固定具５２は、全体として環状、より具体的には筒状とされており、本体ケース５１に対して径方向外側に配置されている。環状固定具５２は、たとえば樹脂からなる。具体的には、環状固定具５２は、本体ケース５１の筒状部５１１を外側から囲むように配置されている。図３１は、環状固定具５２を示す正面図であり、図３２は、環状固定具５２を示す分解斜視図である。
【０２０２】
本実施形態の環状固定具５２は、一対の個片部５２０からなる。一対の個片部５２０は、周方向において互いに分割されている。本実施形態の個片部５２０は、周方向において１８０度の方位を占める。一対の個片部５２０は、それぞれ係合突起５２３および係合孔５２１が設けられている。係合突起５２３および係合凹部５２４は、個片部５２０の周方向端部に設けられている。一対の個片部５２０の周方向端部同士を対面させると、互いの係合突起５２３と係合凹部５２４とが係合する関係となっている。これにより、一対の個片部５２０同士が連結される。
【０２０３】
環状固定具５２は、複数の係合孔５２１および環状溝５２２を有している。
【０２０４】
係合孔５２１は、環状固定具５２（一対の個片部５２０）を径方向に貫通しており、本体ケース５１の突起５１５と係合するためのものである。このため、本実施形態の環状固定具５２は、本体ケース５１の４つの突起５１５に対応して、４つの係合孔５２１を有している。２つずつの係合孔５２１が径方向両側に配置されている。径方向片側においては、２つの係合孔５２１が周方向に離間して配置されている。また、係合孔５２１の形状は特に限定されないが、本実施形態の突起５１５の形状に対応して、径方向視矩形状とされている。各係合孔５２１と各突起５１５とが係合することにより、環状固定具５２は、本体ケース５１に対して係合により固定されている。
【０２０５】
環状溝５２２は、環状固定具５２の内面において径方法内方から径方向外方に凹んでいる。環状溝５２２は、周方向全周にわたって形成されている。環状溝５２２は、環状固定具５２を環状パッキン５３と係合させるためのものである。
【０２０６】
環状パッキン５３は、透光カバー３に外嵌されることにより、透光カバー３内の気密性を高めるためのものであり、たとえば比較的軟質の樹脂あるいはゴム等からなる。図３３は、環状パッキン５３を示す斜視図であり、図３４は、環状パッキン５３を示す正面図であり、図３５は、図３４のＸＸＸＶ−ＸＸＸＶ線に沿う断面図である。図２６および図３３〜図３５に示すように、環状パッキン５３は、筒状部５３１、外部係合環状突起５３２、外部先端環状突起５３３、複数の内部中間環状突起５３４および内部先端環状突起５３５を有する。
【０２０７】
筒状部５３１は、環状パッキン５３の本体をなす部位である。本実施形態においては、環状パッキン５３に外部先端環状突起５３３および複数の内部中間環状突起５３４が設けられていることにより、図２６に示すように、筒状部５３１の内面は、透光カバー３には当接していない。
【０２０８】
外部係合環状突起５３２は、筒状部５３１から径方向外方に突出している。外部係合環状突起５３２は、環状固定具５２の環状溝５２２に嵌り込む。これにより、環状固定具５２と環状パッキン５３とは互いに係合している。外部係合環状突起５３２は、周方向全周にわたって形成されている。
【０２０９】
外部先端環状突起５３３は、環状固定具５２の長手方向内方端に隣接し、且つ筒状部５３１から径方向外方に突出している。また、外部先端環状突起５３３は、環状パッキン５３の長手方向内方端付近に設けられている。外部先端環状突起５３３は、周方向全周にわたって形成されている。
【０２１０】
内部先端環状突起５３５は、筒状部５３１の内面において径方向外方から径方向内方に突出し、且つ長手方向内方端に位置する。図２６に示すように、内部先端環状突起５３５は、透光カバー３に当接している。内部先端環状突起５３５は、周方向全周にわたって形成されている。
【０２１１】
複数の内部中間環状突起５３４は、筒状部５３１の内面において径方向外方から径方向内方に突出し、且つ長手方向において内部先端環状突起５３５よりも外方に位置する。図２６に示すように、複数の内部中間環状突起５３４は、透光カバー３に当接している。複数の内部中間環状突起５３４は、周方向全周にわたって形成されている。本実施形態においては、２つの内部中間環状突起５３４が形成されている。２つの内部中間環状突起５３４は、互いに長手方向に離間配置されている。また、２つの内部中間環状突起５３４は、長手方向において、外部係合環状突起５３２とは異なる位置に設けられている。外部係合環状突起５３２は、長手方向において、２つの内部中間環状突起５３４の間に位置している。
【０２１２】
次に、ＬＥＤ照明灯Ａ２の作用について説明する。
【０２１３】
本実施形態によれば、ＬＥＤ発光部２の基板２７が一対の固定具４の外天板部４２によって支持部材１の天板部１１に対して固定されている。また、一対の固定具４は、支持部材１よりも反射率が高い材質からなる。このため、支持部材１およびＬＥＤ発光部２のみを備える構成と比較して、支持部材１、ＬＥＤ発光部２および固定具４の外観は、より反射率が高い領域が大きい。これにより、ＬＥＤ発光部２からの光のうち透光カバー３の内面によって内方に反射された光を、固定具４によって反射し、透光カバー３を透過させて出射することが可能である。したがって、ＬＥＤ発光部２の基板２７を適切に固定しつつ、ＬＥＤ照明灯Ａ２の高輝度化を図ることができる。
【０２１４】
固定具４が白色樹脂からなることは、固定具４をより高反射な部材とするのに適している。支持部材１がアルミからなることにより、ＬＥＤ発光部２からの熱を放散することができる。
【０２１５】
基板２７に白色のレジスト層２７２が形成されていることにより、ＬＥＤ照明灯Ａ２の高輝度化をさらに促進することができる。固定具４の外天板部４２が基板２７の配線パターン２７１とは重ならない構成とすることにより、外天板部４２によって配線パターン２７１が損傷することを回避することができる。
【０２１６】
第１高反射領域率が、６４％であることにより、配線パターン２７１の損傷を回避しつつ、ＬＥＤ照明灯Ａ２の高輝度化を適切に図ることができる。三方第１高反射領域率が、６９％であることにより、平面視においてのみでなく、ＬＥＤ発光部２からの光が透光カバー３の内面によって反射された後に支持部材１の側方に進行してきた場合であっても、固定具４によって反射する効果が期待できる。さらに、第２高反射領域率が、９５％であることにより、支持部材１、ＬＥＤ発光部２および固定具４の上面に進行してきた光のほとんどを相対的に高い反射率の部位によって透光カバー３へと反射することができる。
【０２１７】
図２２および図２３に示すように、下方リブ４３を設けることにより、下方リブ４３と外天板部４２とによって外方リブ１４を図中上下方向に挟む格好となる。これにより、支持部材１に対する固定具４の上下方向位置を規定することができる。また、内側方リブ４６を設けることにより、内側方リブ４６と外側板部４１とによって外方リブ１４を幅方向において挟む格好となる。これにより、支持部材１に対する固定具４の幅方向位置を規定することができる。さらに、外側方リブ４４を設けることにより、外側方リブ４４と内側方リブ４６とによって外方リブ１４を挟む構造となっている。これは、支持部材１に対する固定具４の幅方向位置の精度を高めるのに適している。複数の外側方リブ４４を設けることは、高精度化に有利である。
【０２１８】
口金５において、本体ケース５１、環状固定具５２および環状パッキン５３が互いに固定されている。環状パッキン５３は、透光カバー３に外嵌されているものの、透光カバー３に対して固定されているものではない。このため、ＬＥＤ照明灯Ａ２の使用環境において温度変化が生じると、透光カバー３は、支持部材１とは熱膨張係数が顕著に異なるため、透光カバー３と支持部材１とは熱変形の度合いが大きく異なる。この差異、支持部材１と本体ケース５１、環状固定具５２および環状パッキン５３とが、長手方向において一体的な挙動を示し、環状パッキン５３は、透光カバー３に対して相対動することとなる。環状パッキン５３は、透光カバー３の長手方向端部から退避した位置にあるため、透光カバー３に対して相対動しても、透光カバー３から外れることなく、透光カバー３内の気密性を保ち続ける。したがって、ＬＥＤ照明灯Ａ２は、温度変化が生じる環境においてより適切に使用することが可能である。
【０２１９】
本体ケース５１および環状固定具５２が、透光カバー３に対して相対動可能である。これにより、透光カバー３の挙動が本体ケース５１および環状固定具５２を介して支持部材１によって拘束されることを回避することができる。
【０２２０】
本体ケース５１と透光カバー３とが長手方向において重なる部分を有することにより、温度変化によって伸縮が生じた際に、透光カバー３が本体ケース５１から抜け出てしまうことを防止することができる。
【０２２１】
環状固定具５２を係合によって本体ケース５１に固定することにより、組み立てや分解をより容易とすることができる。本体ケース５１の突起５１５と環状固定具５２の係合孔５２１とを設けることは、本体ケース５１と環状固定具５２との係合を実現するのに合理的である。環状固定具５２が複数の個片部５２０からなるため、突起５１５を係合孔５２１に嵌めこむようにして複数の個片部５２０同士を連結することにより、環状固定具５２を本体ケース５１に対して適切に取り付けることができる。
【０２２２】
環状パッキン５３を係合によって環状固定具５２に固定することにより、組み立てや分解をより容易とすることができる。環状パッキン５３の外部係合環状突起５３２と環状固定具５２の環状溝５２２とを設けることは、環状固定具５２と環状パッキン５３との係合を実現するのに合理的である。
【０２２３】
環状パッキン５３が外部先端環状突起５３３を有することにより、温度変化、特に常温からより高温となる変化が生じた場合に、相対的に伸長する透光カバー３に伴って、環状パッキン５３が環状固定具５２の内側に入り込んでしまうことを阻止することができる。
【０２２４】
内部中間環状突起５３４を設けることにより、環状パッキン５３と透光カバー３との接触面積を減少させることができる。環状パッキン５３がゴムなどの柔軟性に富む材質からなる場合、接触面積の現象により、摩擦力を低減させることが可能である。これにより、透光カバー３に対して環状パッキン５３をよりスムーズに相対動させることができる。複数の内部中間環状突起５３４を設けることにより、摩擦力の低減と環状パッキン５３を透光カバー３に安定して外嵌させることとを両立することができる。
【０２２５】
内部先端環状突起５３５を設けることにより、環状パッキン５３の長手方向内方、すなわち環状パッキン５３と外部との境界において、気密性をより確実に確保することができる。
【０２２６】
ねじ５９を支持部材１の筒状部１３に螺合させることにより、支持部材１と本体ケース５１とをより確実に固定させることができる。一対の筒状部１３は、支持部材１の長手方向全長にわたって形成されており、透光カバー３の一対の内方リブ３２と係合している。これにより、支持部材１に対して透光カバー３が周方向にずれてしまうことを阻止することができる。
【０２２７】
一対の固定具４によってＬＥＤ発光部２の基板２７を支持部材１に対して固定することにより、比較的長尺の基板２７であっても、長手方向全長にわたって支持部材１に沿わせることができる。
【０２２８】
図３７および図３８は、本発明の他の実施形態を示している。なお、これらの図において、上記実施形態と同一または類似の要素には、上記実施形態と同一の符号を付している。
【０２２９】
図３７は、本発明の第３実施形態に基づくＬＥＤ照明灯を示している。本実施形態のＬＥＤ照明灯Ａ３は、一対の固定具４とＬＥＤ発光部２の基板２７との関係が、上述した実施形態と異なっている。本実施形態においては、一対の固定具４の外天板部４２は、平面視において、レジスト層２７２に重なるとともに、配線パターン２７１にも重なっている。また、同図によく表れているように、一対の固定具４の外天板部４２の幅方向内端縁は、複数のＬＥＤモジュール２０に隣接する位置に配置されている。
【０２３０】
このような構成により、本実施形態においては、第１高反射領域率が、８０％とされている。また、三方第１高反射領域率は、７９％となっている。第２高反射領域率は、ＬＥＤ照明灯Ａ２と同様に９５％程度である。
【０２３１】
このような実施形態によれば、ＬＥＤ照明灯Ａ３の高輝度化をさらに高めることができる。また、ＬＥＤ照明灯Ａ２およびＬＥＤ照明灯Ａ３から理解できるように、第１高反射領域率の下限は、外天板部４２を配線パターン２７１とは重ならない構成とした場合であり、上限は、外天板部４２がＬＥＤモジュール２０に隣接する構成とした場合である。したがって、第１高反射領域率は、６４％以上８０％以下であることが好ましい。同様に、三方第２高反射領域率は、６９％以上７９％以下であることが好ましい。また、第２高反射領域率は、９０％以上９５％以下であることが好ましい。
【０２３２】
図３８は、本発明の第４実施形態に基づくＬＥＤ照明灯を示している。本実施形態のＬＥＤ照明灯Ａ４は、口金５の構成が上述した実施形態と異なっている。本実施形態の口金５は、本体ケース５１および端子５５を有している。本体ケース５１は、たとえば樹脂からなる有底円筒形状の部材である。端子５５には溝部５６が設けられている。溝部５６には、透光カバー３が挿入されている。端子５５は、電源ケーブル８１によって、ＬＥＤ発光部２に電力供給するための電源部５に接続されている。電源部５と基板２７とは、ＬＥＤケーブル２９によって接続されている。このような実施形態によっても、ＬＥＤ発光部２の基板２７を適切に固定しつつ、ＬＥＤ照明灯Ａ４の高輝度化を図ることができる。
【０２３３】
本発明に係るＬＥＤ照明灯は、上述した実施形態に限定されるものではない。本発明に係るＬＥＤ照明灯の各部の具体的な構成は、種々に設計変更自在である。
【０２３４】
本発明によって提供されるＬＥＤ照明灯の技術的構成について、以下に付記する。
【０２３５】
〔付記１Ａ〕
複数のＬＥＤチップを具備するＬＥＤ発光部と、
前記ＬＥＤ発光部を支持する細長状の支持部材と、
前記ＬＥＤ発光部および前記支持部材を収容し、かつ前記ＬＥＤ発光部からの光を透過する筒形状の透光カバーと、
前記支持部材の両端に位置する一対の口金と、を備え、
前記口金は、本体ケース、環状固定具および環状パッキンを有しており、
前記本体ケースは、前記支持部材に対して固定されており、
前記環状固定具は、前記本体ケースに対して固定されており、
前記環状パッキンは、前記環状固定具に対して固定されているとともに、前記透光カバーの長手方向端部から内方に退避した位置において、前記透光カバーに外嵌されている、ＬＥＤ照明灯。
〔付記２Ａ〕
前記本体ケースは、前記透光カバーに対して相対動可能とされている、付記１Ａに記載のＬＥＤ照明灯。
〔付記３Ａ〕
前記環状固定具は、前記透光カバーに対して相対動可能とされている、付記１Ａまたは２Ａに記載のＬＥＤ照明灯。
〔付記４Ａ〕
前記環状固定具は、前記本体ケースに対して径方向外側に配置されている、付記１Ａないし３Ａのいずれかに記載のＬＥＤ照明灯。
〔付記５Ａ〕
前記本体ケースは、前記透光カバーに対して径方向外側に配置されており、且つ長手方向において前記透光カバーと重なる部分を有する、付記４Ａに記載のＬＥＤ照明灯。
〔付記６Ａ〕
前記環状固定具は、前記本体ケースに対して係合により固定されている、付記５Ａに記載のＬＥＤ照明灯。
〔付記７Ａ〕
前記本体ケースは、径方向外方に突出する突起を有しており、
前記環状固定具は、前記突起に係合する係合孔を有する、付記６Ａに記載のＬＥＤ照明灯。
〔付記８Ａ〕
前記環状固定具は、周方向において互いに分割された複数の個片部を含む、付記６Ａまたは７Ａに記載のＬＥＤ照明灯。
〔付記９Ａ〕
前記環状パッキンは、前記環状固定具に対して係合により固定されている、付記６Ａないし８Ａのいずれかに記載のＬＥＤ照明灯。
〔付記１０Ａ〕
前記環状固定具は、径方向内方から径方向外方に凹む環状溝を有しており、
前記環状パッキンは、径方向外方に突出し、且つ前記環状溝と係合する外部係合環状突起を有する、付記９Ａに記載のＬＥＤ照明灯。
〔付記１１Ａ〕
前記環状溝は、周方向全周にわたって形成されている、付記１０Ａに記載のＬＥＤ照明灯。
〔付記１２Ａ〕
前記外部係合環状突起は、周方向全周にわたって形成されている、付記１１Ａに記載のＬＥＤ照明灯。
〔付記１３Ａ〕
前記環状パッキンは、前記環状固定具の長手方向内方端に隣接し、且つ径方向外方に突出する外部先端環状突起を有する、付記１０Ａないし１２Ａのいずれかに記載のＬＥＤ照明灯。
〔付記１４Ａ〕
前記外部先端環状突起は、周方向全周にわたって形成されている、付記１３Ａに記載のＬＥＤ照明灯。
〔付記１５Ａ〕
前記環状パッキンは、径方向外方から径方向内方に突出し、且つ長手方向内方端に位置する内部先端環状突起を有する、付記１０Ａないし１４Ａのいずれかに記載のＬＥＤ照明灯。
〔付記１６Ａ〕
前記内部先端環状突起は、前記透光カバーに当接している、付記１５Ａに記載のＬＥＤ照明灯。
〔付記１７Ａ〕
前記内部先端環状突起は、周方向全周にわたって形成されている、付記１５Ａまたは１６Ａに記載のＬＥＤ照明灯。
〔付記１８Ａ〕
前記環状パッキンは、径方向外方から径方向内方に突出し、且つ長手方向において前記先端環状突起よりも外方に位置する内部中間環状突起を有する、付記１５Ａないし１７Ａのいずれかに記載のＬＥＤ照明灯。
〔付記１９Ａ〕
前記内部中間環状突起は、前記透光カバーに当接している、付記１８Ａに記載のＬＥＤ照明灯。
〔付記２０Ａ〕
前記内部中間環状突起は、周方向全周にわたって形成されている、付記１８Ａまたは１９Ａに記載のＬＥＤ照明灯。
〔付記２１Ａ〕
前記環状パッキンは、互いに長手方向に離間配置された複数の前記内部中間環状突起を有する、付記１８Ａないし２０Ａのいずれかに記載のＬＥＤ照明灯。
〔付記２２Ａ〕
前記本体ケースは、前記支持部材に対してねじによって固定されている、付記１Ａないし２１Ａのいずれかに記載のＬＥＤ照明灯。
〔付記２３Ａ〕
前記本体ケースには、前記ねじを挿通させるねじ用孔が設けられている、付記２２Ａに記載のＬＥＤ照明灯。
〔付記２４Ａ〕
前記支持部材は、前記ねじが固定される筒状部を有する、付記２３Ａに記載のＬＥＤ照明灯。
〔付記２５Ａ〕
前記筒状部は、前記支持部材の長手方向全長にわたって設けられている、付記２４Ａに記載のＬＥＤ照明灯。
〔付記２６Ａ〕
前記支持部材は、一対の前記筒状部を有する、付記２５Ａに記載のＬＥＤ照明灯。
〔付記２７Ａ〕
前記支持部材は、長手方向に延びる平板帯状の天板部と、この天板部の幅方向両端に繋がる一対の側板部と、を有している、付記２６Ａに記載のＬＥＤ照明灯。
〔付記２８Ａ〕
前記一対の筒状部は、前記側板部の端部に設けられている、付記２７Ａに記載のＬＥＤ照明灯。
〔付記２９Ａ〕
前記透光カバーは、各々が径方向内方に突出し、且つ前記支持部材の前記一対の筒状部に係合する一対の内方リブを有する、付記２８Ａに記載のＬＥＤ照明灯。
〔付記３０Ａ〕
前記一対の内方リブは、前記透光カバーの長手方向全長にわたって設けられている、付記２９Ａに記載のＬＥＤ照明灯。
〔付記３１Ａ〕
前記ＬＥＤ発光部は、前記支持部材の前記天板部に支持されている、付記２７Ａないし３０Ａのいずれかに記載のＬＥＤ照明灯。
〔付記３２Ａ〕
前記ＬＥＤ発光部は、各々が前記ＬＥＤチップ、このＬＥＤチップを覆う透光樹脂、および実装端子を有する複数のＬＥＤモジュールを含む、付記３１Ａに記載のＬＥＤ照明灯。
〔付記３３Ａ〕
前記透光樹脂は、前記ＬＥＤチップからの光によって励起されることにより前記ＬＥＤチップからの光とは異なる波長の光を発する蛍光材料が混入されている、付記３２Ａに記載のＬＥＤ照明灯、付記Ａに記載のＬＥＤ照明灯。
〔付記３４Ａ〕
前記ＬＥＤ発光部は、前記複数のＬＥＤモジュールが搭載されており、且つ前記天板部に固定された基板を有する、付記３２Ａまたは３３Ａに記載のＬＥＤ照明灯。
〔付記３５Ａ〕
前記支持部材に係合し、且つ前記ＬＥＤ発光部の前記基板を前記支持部材に対して固定する固定具を備える、付記３４Ａに記載のＬＥＤ照明灯。
〔付記３６Ａ〕
前記支持部材は、金属からなる、付記１Ａないし３５Ａのいずれかに記載のＬＥＤ照明灯。
〔付記３７Ａ〕
前記支持部材は、Ａｌからなる、付記３５Ａに記載のＬＥＤ照明灯。
【０２３６】
〔付記１Ｂ〕
複数のＬＥＤチップを具備するＬＥＤ発光部と、
前記ＬＥＤ発光部を支持する細長状の支持部材と、
前記ＬＥＤ発光部および前記支持部材を収容し、かつ前記ＬＥＤ発光部からの光を透過する筒形状の透光カバーと、
前記支持部材の両端に位置する一対の口金と、を備え、
前記ＬＥＤ発光部は、各々が前記ＬＥＤチップ、このＬＥＤチップを覆う透光樹脂、および実装端子を有する複数のＬＥＤモジュールと、前記複数のＬＥＤモジュールが搭載された基板と、を有し、
前記支持部材は、長手方向に延びる平板帯状の天板部と、この天板部の幅方向両端に繋がる一対の側板部と、を有しており、
前記支持部材に係合し、前記支持部材の前記天板部の幅方向に互いに離間して配置されており、且つ前記支持部材の前記天板部との間に前記ＬＥＤ発光部の前記基板を挟むとともに前記ＬＥＤモジュールを露出させる外天板部をそれぞれが有する、前記支持部材よりも反射率が高い材質からなる一対の固定具を備える、ＬＥＤ照明灯。
〔付記２Ｂ〕
前記固定具は、白色である、付記１Ｂに記載のＬＥＤ照明灯。
〔付記３Ｂ〕
前記固定具は、樹脂からなる、付記２Ｂに記載のＬＥＤ照明灯。
〔付記４Ｂ〕
前記支持部材は、金属からなる、付記１Ｂないし３Ｂのいずれかに記載のＬＥＤ照明灯。
〔付記５Ｂ〕
前記支持部材は、アルミからなる、付記４Ｂに記載のＬＥＤ照明灯。
〔付記６Ｂ〕
前記基板は、前記ＬＥＤモジュールを実装するための配線パターンと、前記配線パターンを覆うレジスト層とを含む、付記１Ｂないし５Ｂのいずれかに記載のＬＥＤ照明灯。
〔付記７Ｂ〕
前記レジスト層は、白色である、付記６Ｂに記載のＬＥＤ照明灯。
〔付記８Ｂ〕
前記基板の厚さ方向視において、前記固定具の前記外天板部と前記レジスト層とが重なっている、付記６Ｂまたは７Ｂに記載のＬＥＤ照明灯。
〔付記９Ｂ〕
前記基板の厚さ方向視において、前記固定具の前記外天板部と前記配線パターンとは、互いに重ならない、付記８Ｂに記載のＬＥＤ照明灯。
〔付記１０Ｂ〕
前記基板の厚さ方向視において、前記固定具の前記外天板部と前記レジスト層および前記配線パターンとが重なっている、付記８Ｂに記載のＬＥＤ照明灯。
〔付記１１Ｂ〕
前記基板の厚さ方向視において、前記ＬＥＤ発光部および前記一対の固定具の外観において前記一対の固定具の前記外天板部が占める割合である第１高反射領域率が、６４％以上８０％以下である、付記６Ｂないし１０Ｂのいずれかに記載のＬＥＤ照明灯。
〔付記１２Ｂ〕
前記基板の厚さ方向視および幅方向視において、前記支持部材、前記ＬＥＤ発光部および前記一対の固定具の外観において前記一対の固定具が占める割合である三方第１高反射領域率が、６９％以上７９％以下である、付記６Ｂないし１１Ｂのいずれかに記載のＬＥＤ照明灯。
〔付記１３Ｂ〕
前記基板の厚さ方向視において、前記ＬＥＤ発光部および前記一対の固定具の外観において前記一対の固定具の前記外天板部および前記レジスト層が占める割合である第２高反射領域率が、９０％以上９５％以下である、付記６Ｂないし１２Ｂのいずれかに記載のＬＥＤ照明灯。
〔付記１４Ｂ〕
前記固定具は、前記外天板部に繋がり、且つ前記支持部材の前記側板部に対して幅方向外方に位置する外側板部をそれぞれ有する、付記１Ｂないし１３Ｂのいずれかに記載のＬＥＤ照明灯。
〔付記１５Ｂ〕
前記支持部材は、前記天板部と前記一対の側板部との間に介在し、長手方向視において円弧形状である一対の円弧部を有する、付記１４Ｂに記載のＬＥＤ照明灯。
〔付記１６Ｂ〕
前記支持部材は、前記天板部と前記一対の円弧部との連結部分から幅方向外方に位置する一対の外方リブを有しており、
前記一対の固定具と前記一対の外方リブとが係合している、付記１５Ｂに記載のＬＥＤ照明灯。
〔付記１７Ｂ〕
前記外方リブは、前記天板部に沿って幅方向外方に延出する一対の拡幅部と、前記一対の拡幅部から前記一対の側板部とは反対側に起立する一対の起立部と、を有する、付記１６Ｂに記載のＬＥＤ照明灯。
〔付記１８Ｂ〕
前記固定具は、前記外方リブの前記拡幅部に対して前記起立部とは反対側において前記外側板部から突出する下方リブを有する、付記１７Ｂに記載のＬＥＤ照明灯。
〔付記１９Ｂ〕
前記固定具は、前記外方リブの前記起立部に対して幅方向外方において前記外側板部から突出する外側方リブを有する、付記１７Ｂまたは１８Ｂに記載のＬＥＤ照明灯。
〔付記２０Ｂ〕
前記固定具は、前記外方リブの前記起立部に対して前記幅方向内方において前記外天板部から突出する内側方リブを有する、付記１７Ｂないし１９Ｂのいずれかに記載のＬＥＤ照明灯。
〔付記２１Ｂ〕
前記透光樹脂は、前記ＬＥＤチップからの光によって励起されることにより前記ＬＥＤチップからの光とは異なる波長の光を発する蛍光材料が混入されている、付記１Ｂないし２０Ｂのいずれかに記載のＬＥＤ照明灯。
〔付記２２Ｂ〕
前記複数のＬＥＤモジュールは、出射する光の色温度が互いに異なる第１ＬＥＤモジュールと第２ＬＥＤモジュールとを含む、付記２１Ｂに記載のＬＥＤ照明灯。
〔付記２３Ｂ〕
前記第１ＬＥＤモジュールは、昼白色を出射する、付記２２Ｂに記載のＬＥＤ照明灯。
〔付記２４Ｂ〕
前記第２ＬＥＤモジュールは、電球色を出射する、付記２２Ｂまたは２３Ｂに記載のＬＥＤ照明灯。
〔付記２５Ｂ〕
前記口金は、本体ケース、環状固定具および環状パッキンを有しており、
前記本体ケースは、前記支持部材に対して固定されており、
前記環状固定具は、前記本体ケースに対して固定されており、
前記環状パッキンは、前記環状固定具に対して固定されているとともに、前記透光カバーの長手方向端部から内方に退避した位置において、前記透光カバーに外嵌されている、付記１Ｂないし２４Ｂのいずれかに記載のＬＥＤ照明灯。
〔付記２６Ｂ〕
前記本体ケースは、前記支持部材に対してねじによって固定されている、付記２５Ｂに記載のＬＥＤ照明灯。
〔付記２７Ｂ〕
前記本体ケースには、前記ねじを挿通させるねじ用孔が設けられている、付記２６Ｂに記載のＬＥＤ照明灯。
〔付記２８Ｂ〕
前記支持部材は、前記ねじが固定される筒状部を有する、付記２７Ｂに記載のＬＥＤ照明灯。
〔付記２９Ｂ〕
前記筒状部は、前記支持部材の長手方向全長にわたって設けられている、付記２８Ｂに記載のＬＥＤ照明灯。
〔付記３０Ｂ〕
前記支持部材は、一対の前記筒状部を有する、付記２９Ｂに記載のＬＥＤ照明灯。
〔付記３１Ｂ〕
前記一対の筒状部は、前記側板部の端部に設けられている、付記３０Ｂに記載のＬＥＤ照明灯。
〔付記３２Ｂ〕
前記透光カバーは、各々が径方向内方に突出し、且つ前記支持部材の前記一対の筒状部に係合する一対の内方リブを有する、付記３１Ｂに記載のＬＥＤ照明灯。
〔付記３３Ｂ〕
前記一対の内方リブは、前記透光カバーの長手方向全長にわたって設けられている、付記３２Ｂに記載のＬＥＤ照明灯。
〔付記３４Ｂ〕
前記ＬＥＤ発光部は、前記支持部材の前記天板部に支持されている、付記３０Ｂないし３３Ｂのいずれかに記載のＬＥＤ照明灯。
〔付記３５Ｂ〕
前記本体ケースは、前記透光カバーに対して相対動可能とされている、付記２５Ｂないし３４Ｂのいずれかに記載のＬＥＤ照明灯。
〔付記３６Ｂ〕
前記環状固定具は、前記透光カバーに対して相対動可能とされている、付記２５Ｂないし３５Ｂのいずれかに記載のＬＥＤ照明灯。
〔付記３７Ｂ〕
前記環状固定具は、前記本体ケースに対して径方向外側に配置されている、付記２５Ｂないし３６Ｂのいずれかに記載のＬＥＤ照明灯。
〔付記３８Ｂ〕
前記本体ケースは、前記透光カバーに対して径方向外側に配置されており、且つ長手方向において前記透光カバーと重なる部分を有する、付記３７Ｂに記載のＬＥＤ照明灯。
〔付記３９Ｂ〕
前記環状固定具は、前記本体ケースに対して係合により固定されている、付記３８Ｂに記載のＬＥＤ照明灯。
【符号の説明】
【０２３７】
Ａ１      ＬＥＤ照明装置
１      ベース
１１      溝部
１２      斜面部
１３      貫通孔
１６      中間ケーブル
２      ＬＥＤユニット
２０      ＬＥＤモジュール
２１      リード
２２      LEDチップ
２３      封止樹脂
２４      リフレクタ
３      支持部材
３１      支持板部
３２      側板部
３５      基板
４      カバー
４１      膨出部
４２      係合部
５      電源部
５１      ケーブル
６      取付手段
６１      アーム部
６１１      円弧状部
６１２      係合部
６１３      側板部
６１４      貫通孔
６２      捻じりバネ
６３      固定部材
６３１      溝状部
６３２      貫通孔
６３３      貫通孔
６５      係合部材
６５１      窓部
６６      軸部材
８１      電源ケーブル
Ａ２〜Ａ４      ＬＥＤ照明灯
１      支持部材
１１      天板部
１２      側板部
１３      筒状部
１５      円弧部
１４      外方リブ
１４１      拡幅部
１４２      起立部
２      ＬＥＤ発光部
２０      ＬＥＤモジュール
２０Ａ      ＬＥＤモジュール
２０Ｂ      ＬＥＤモジュール
２１      ＬＥＤチップ
２２      リード
２３      ケース
２４      透光樹脂
２７      基板
２７１      配線パターン
２７２      レジスト層
３      透光カバー
３１      端部
３２      内方リブ
４      固定具
４１      外側板部
４２      外天板部
４３      下方リブ
４４      外側方リブ
４６      内側方リブ
５      口金
５１      本体ケース
５１１      筒状部
５１２      底部
５１３      凹部
５１４      ねじ用孔
５１５      突起
５１９      内圧調整弁
５２      環状固定具
５２０      個片部
５２１      係合孔
５２２      環状溝
５２３      係合突起
５２４      係合凹部
５３      環状パッキン
５３１      筒状部
５３２      外部係合環状突起
５３３      外部先端環状突起
５３４      内部中間環状突起
５３５      内部先端環状突起
５５      端子
５６      溝部
５９      ねじ
【図１】
2016181501.tif 000003
【図２】
2016181501.tif 000004
【図３】
2016181501.tif 000005
【図４】
2016181501.tif 000006
【図５】
2016181501.tif 000007
【図６】
2016181501.tif 000008
【図７】
2016181501.tif 000009
【図８】
2016181501.tif 000010
【図９】
2016181501.tif 000011
【図１０】
2016181501.tif 000012
【図１１】
2016181501.tif 000013
【図１２】
2016181501.tif 000014
【図１３】
2016181501.tif 000015
【図１４】
2016181501.tif 000016
【図１５】
2016181501.tif 000017
【図１６】
2016181501.tif 000018
【図１７】
2016181501.tif 000019
【図１８】
2016181501.tif 000020
【図１９】
2016181501.tif 000021
【図２０】
2016181501.tif 000022
【図２１】
2016181501.tif 000023
【図２２】
2016181501.tif 000024
【図２３】
2016181501.tif 000025
【図２４】
2016181501.tif 000026
【図２５】
2016181501.tif 000027
【図２６】
2016181501.tif 000028
【図２７】
2016181501.tif 000029
【図２８】
2016181501.tif 000030
【図２９】
2016181501.tif 000031
【図３０】
2016181501.tif 000032
【図３１】
2016181501.tif 000033
【図３２】
2016181501.tif 000034
【図３３】
2016181501.tif 000035
【図３４】
2016181501.tif 000036
【図３５】
2016181501.tif 000037
【図３６】
2016181501.tif 000038
【図３７】
2016181501.tif 000039
【図３８】
2016181501.tif 000040
【図３９】
2016181501.tif 000041